(57)【要約】  本出願の実施例は、リソースの構成方法、端末装置およびネットワーク装置を提供し、端末装置が、混合キャリア（ＰＣ５キャリアリソース＋Ｕｕキャリアリソース）およびＰＣ５キャリアでデータを集約し伝送することをサポートでき、これにより、５Ｇ  ＮＲにおけるデータ伝送の効率を向上させ、同時に、５Ｇ  ＮＲにおけるデータ伝送がさらに柔軟になる。当該方法は、ネットワーク装置に第１の情報を送信することであって、当該第１の情報は、複数キャリアでの同時送受信の能力を指示するための能力情報を含み、当該複数のキャリアは、第１のタイプのキャリアおよび第２のタイプのキャリアを含み、当該第１のタイプのキャリアは、サイドリンクでのデータを伝送するためであり、当該第２のタイプのキャリアは、アップリンクでのデータ、ダウンリンクでのデータおよびサイドリンクでのデータのうちの少なくとも１つのデータを伝送するためであることと、当該ネットワーク装置によって送信される第２の情報を受信することであって、当該第２の情報は、当該第１のタイプのキャリアと当該第２のタイプのキャリアに対する第１の伝送リソースおよび当該第１の伝送リソースの有効時間を指示するためであることとを含む。
2020537366.tif 000002
【特許請求の範囲】
【請求項１】
リソースの構成方法であって、
ネットワーク装置に第１の情報を送信することであって、前記第１の情報は、複数キャリアでの同時送受信の能力を指示するための能力情報を含み、前記複数のキャリアは、第１のタイプのキャリアおよび第２のタイプのキャリアを含み、前記第１のタイプのキャリアは、サイドリンクでのデータを伝送するためであり、前記第２のタイプのキャリアは、アップリンクでのデータ、ダウンリンクでのデータおよびサイドリンクでのデータのうちの少なくとも１つのデータを伝送するためであることと、
前記ネットワーク装置によって送信される第２の情報を受信することであって、前記第２の情報は、前記ネットワーク装置によって割り当てられる前記第１のタイプのキャリアと前記第２のタイプのキャリアに対する第１の伝送リソースおよび前記第１の伝送リソースの有効時間を指示するためであることと、を含む、前記リソースの構成方法。
【請求項２】
前記第１の情報は、前記複数のキャリアでデータを集約し伝送することを要求するための要求情報をさらに含む、
請求項１に記載のリソースの構成方法。
【請求項３】
前記ネットワーク装置に前記第１の情報を送信する前に、前記リソースの構成方法は、
前記ネットワーク装置によって送信される第３の情報を受信することであって、前記第３の情報は、第１のタイプのキャリア情報を含み、前記ネットワーク装置が前記第１のタイプのキャリアに対するリソースを割り当てることを指示するためであることをさらに含む、
請求項１または２に記載のリソースの構成方法。
【請求項４】
前記第３の情報は、システム情報または無線リソース制御（ＲＲＣ）専用シグナリングである、
請求項３に記載のリソースの構成方法。
【請求項５】
前記方法は、
前記第１の伝送リソースにしたがって、第２の伝送リソースを決定することと、
前記第２の伝送リソースでデータを送信することと、をさらに含む、
請求項１ないし４のいずれか一項に記載のリソースの構成方法。
【請求項６】
前記第１の伝送リソースにしたがって、第２の伝送リソースを決定することは、
前記第１の伝送リソースで前記第２の伝送リソースを決定することを含む、
請求項５に記載のリソースの構成方法。
【請求項７】
前記第１の伝送リソースで前記第２の伝送リソースを決定することは、
チャネル占有率、複数キャリアでの同時送受信の能力、送信パワー、伝送されたサービスの優先度のうちの少なくとも１つにしたがって、前記第１の伝送リソースで前記第２の伝送リソースを決定することを含む、
請求項６に記載のリソースの構成方法。
【請求項８】
前記リソースの構成方法は、
前記第１の伝送リソースの有効時間内に、前記第２の伝送リソースでデータを送信することをさらに含む、
請求項５ないし７のいずれか一項に記載のリソースの構成方法。
【請求項９】
前記第１の伝送リソースは、準静的なスケジューリングリソースおよび/または共有リソースプールである、
請求項１ないし８のいずれか一項に記載のリソースの構成方法。
【請求項１０】
前記リソースの構成方法は、
第３の伝送リソースでデータを受信することであって、前記第３の伝送リソースは、前記ネットワーク装置がシステム情報によって構成されるものであり、前記第３の伝送リソースは、前記第１のタイプのキャリアを含むことをさらに含む、
請求項１ないし９のいずれか一項に記載のリソースの構成方法。
【請求項１１】
前記リソースの構成方法は、
第４の伝送リソースでデータを受信することであって、前記第４の伝送リソースは、前記ネットワーク装置によって構成されるものであり、前記第４の伝送リソースは、前記第２のタイプのキャリアを含むことをさらに含む、
請求項１ないし１０のいずれか一項に記載のリソースの構成方法。
【請求項１２】
リソースの構成方法であって、
端末装置によって送信される第１の情報を受信することであって、前記第１の情報は、前記端末装置が複数キャリアでの同時送受信の能力を指示するための能力情報を含み、前記複数のキャリアは、第１のタイプのキャリアおよび第２のタイプのキャリアを含み、前記第１のタイプのキャリアは、サイドリンクでのデータを伝送するためであり、前記第２のタイプのキャリアは、アップリンクでのデータ、ダウンリンクでのデータおよびサイドリンクでのデータのうちの少なくとも１つのデータを伝送するためであることと、
前記第１の情報にしたがって、前記端末装置に第２の情報を送信することであって、前記第２の情報は、前記ネットワーク装置によって割り当てられる前記第１のタイプのキャリアと前記第２のタイプのキャリアに対する第１の伝送リソースおよび前記第１の伝送リソースの有効時間を指示するためであることとを含む、前記リソースの構成方法。
【請求項１３】
前記第１の情報は、前記複数のキャリアでデータを集約し伝送することを要求するための要求情報をさらに含む、
請求項１２に記載のリソースの構成方法。
【請求項１４】
前記端末装置によって送信される前記第１の情報を受信する前に、前記方法は、
前記端末装置に第３の情報を送信することであって、前記第３の情報は、第１のタイプのキャリア情報を含み、前記第３の情報は、前記ネットワーク装置が前記第１のタイプのキャリアに対するリソースを割り当てることを指示するためであることをさらに含む、
請求項１２または１３に記載のリソースの構成方法。
【請求項１５】
前記第３の情報は、システム情報または無線リソース制御（ＲＲＣ）専用シグナリングである、
請求項１４に記載のリソースの構成方法。
【請求項１６】
前記第１の伝送リソースは、準静的なスケジューリングリソースおよび/または共有リソースプールである、
請求項１２ないし１５のいずれか一項に記載のリソースの構成方法。
【請求項１７】
前記端末装置に第４の情報を送信することであって、前記第４の情報は、第３の伝送リソースを指示するためであり、前記第３の伝送リソースは、前記端末装置がデータを受信するリソースであり、前記第３の伝送リソースは、前記第１のタイプのキャリアを含む、
請求項１２ないし１６のいずれか一項に記載のリソースの構成方法。
【請求項１８】
リソースの構成方法であって、
ネットワーク装置に能力情報を含む第１の情報を送信することであって、前記能力情報は、複数キャリアでの同時送受信の能力を指示するためであり、前記複数のキャリアは、第１のタイプのキャリアおよび第２のタイプのキャリアを含み、前記第１のタイプのキャリアは、サイドリンクでのデータを伝送するためであり、前記第２のタイプのキャリアは、アップリンクでのデータ、ダウンリンクでのデータおよびサイドリンクでのデータのうちの少なくとも１つのデータを伝送するためであることと、
前記ネットワーク装置によって送信される第２の情報を受信することであって、前記第２の情報は、前記ネットワーク装置によって割り当てられる前記第２のタイプのキャリアに対する第１の伝送リソースおよび前記第１の伝送リソースの有効時間を指示するためであることと、を含む、前記リソースの構成方法。
【請求項１９】
前記第１の情報は、前記複数のキャリアでデータを集約し伝送することを要求するための要求情報をさらに含む、
請求項１８に記載のリソースの構成方法。
【請求項２０】
前記リソースの構成方法は、
第１の伝送リソースおよび前記第１のタイプのキャリアでのチャネル占有率にしたがって、前記第１のタイプのキャリアに対する第２の伝送リソースを決定することをさらに含む、
請求項１８または１９に記載のリソースの構成方法。
【請求項２１】
前記リソースの構成方法は、
前記第１の伝送リソースおよび前記第２の伝送リソースにしたがって、第３の伝送リソースを決定することと、
前記第３の伝送リソースでデータを送信することと、をさらに含む、
請求項２０に記載のリソースの構成方法。
【請求項２２】
前記第１の伝送リソースおよび前記第２の伝送リソースにしたがって、第３の伝送リソースを決定することは、
前記第１の伝送リソースおよび/または前記第２の伝送リソースで前記第３の伝送リソースを決定することを含む、
請求項２１に記載のリソースの構成方法。
【請求項２３】
前記第１の伝送リソースおよび/または前記第２の伝送リソースで前記第３の伝送リソースを決定することは、
チャネル占有率、複数キャリアでの同時送受信の能力、送信パワー、伝送されたサービスの優先度のうちの少なくとも１つにしたがって、前記第１の伝送リソースおよび/または前記第２の伝送リソースで前記第３の伝送リソースを決定することを含む、
請求項２２に記載のリソースの構成方法。
【請求項２４】
送信パワーがプリセットパワーより大きいかまたは等しい場合、前記第３の伝送リソースに含まれる複数のキャリアは時間ドメインで重ねられ、および/または
送信パワーが前記プリセットパワーより小さい場合、前記第３の伝送リソースに含まれる複数のキャリアは時間ドメインで重ねられない、
請求項２３に記載のリソースの構成方法。
【請求項２５】
前記リソースの構成方法は、
前記第１のリソースの有効時間内に、前記第３の伝送リソースでデータを送信することをさらに含む、
請求項２１ないし２４のいずれか一項に記載のリソースの構成方法。
【請求項２６】
前記第１の伝送リソースは、準静的なスケジューリングリソースおよび/または共有リソースプールである、
請求項１８ないし２５のいずれか一項に記載のリソースの構成方法。
【請求項２７】
前記リソースの構成方法は、
第４の伝送リソースでデータを受信することであって、前記第４の伝送リソースは、前記ネットワーク装置によって構成されるものであり、前記第４の伝送リソースは、前記第２のタイプのキャリアを含む、
請求項１８ないし２６のいずれか一項に記載のリソースの構成方法。
【請求項２８】
リソースの構成方法であって、
端末装置によって送信される第１の情報を受信することであって、前記第１の情報は、複数キャリアでの同時送受信の能力を指示するための能力情報を含み、前記複数のキャリアは、第１のタイプのキャリアおよび第２のタイプのキャリアを含み、前記第１のタイプのキャリアは、サイドリンクでのデータを伝送するためであり、前記第２のタイプのキャリアは、アップリンクでのデータ、ダウンリンクでのデータおよびサイドリンクでのデータのうちの少なくとも１つのデータを伝送するためであることと、
前記第１の情報にしたがって、前記端末装置に第２の情報を送信することであって、前記第２の情報は、前記ネットワーク装置によって割り当てられる前記第２のタイプのキャリアに対する第１の伝送リソースおよび前記第１の伝送リソースの有効時間を指示するためであることと、を含む、前記リソースの構成方法。
【請求項２９】
前記第１の情報は、前記複数のキャリアでデータを集約し伝送することを要求するための要求情報をさらに含む、
請求項２８に記載のリソースの構成方法。
【請求項３０】
前記第１の伝送リソースは、準静的なスケジューリングリソースおよび/または共有リソースプールである、
請求項２８または２９に記載のリソースの構成方法。
【請求項３１】
前記リソースの構成方法は、
前記端末装置に第３の情報を送信することであって、前記第３の情報は、第２の伝送リソースを指示するためであり、前記第２の伝送リソースは、前記端末装置がデータを受信するリソースであり、前記第２の伝送リソースは、前記第２のタイプのキャリアを含むことをさらに含む、
請求項２８ないし３０のいずれか一項に記載のリソースの構成方法。
【請求項３２】
リソースの構成方法であって、
ネットワーク装置によって送信される第１の情報を受信することであって、前記第１の情報は、前記ネットワーク装置によって割り当てられる複数のキャリアに対する第１の伝送リソースおよび前記第１の伝送リソースの有効時間を指示するためであり、前記複数のキャリアは、第１のタイプのキャリアおよび第２のタイプのキャリアを含み、前記第１のタイプのキャリアは、サイドリンクでのデータを伝送するためであり、前記第２のタイプのキャリアは、アップリンクでのデータ、ダウンリンクでのデータおよびサイドリンクでのデータのうちの少なくとも１つのデータを伝送するためであり、前記第１の伝送リソースは、共有リソースプールであることと、
前記第１の伝送リソースにしたがって、第２の伝送リソースを決定することと、
前記第２の伝送リソースでデータを送信することと、を含む、前記リソースの構成方法。
【請求項３３】
前記第１の伝送リソースにしたがって、第２の伝送リソースを決定することは、
前記第１の伝送リソースで前記第２の伝送リソースを決定することを含む、
請求項３２に記載のリソースの構成方法。
【請求項３４】
前記第１の情報は、システム情報または無線リソース制御（ＲＲＣ）専用シグナリングである、
請求項３２または３３に記載のリソースの構成方法。
【請求項３５】
前記リソースの構成方法は、
在前記第１の伝送リソース中第３の伝送リソースを決定することと、
前記第３の伝送リソースでデータを受信することと、をさらに含む、
請求項３２ないし３４のいずれか一項に記載のリソースの構成方法。
【請求項３６】
リソースの構成方法であって、
端末装置に第１の情報を送信することであって、前記第１の情報は、前記端末装置によって割り当てられる複数のキャリアに対する第１の伝送リソースおよび前記第１の伝送リソースの有効時間を指示するためであり、前記複数のキャリアは、第１のタイプのキャリアおよび第２のタイプのキャリアを含み、前記第１のタイプのキャリアは、サイドリンクでのデータを伝送するためであり、前記第２のタイプのキャリアは、アップリンクでのデータ、ダウンリンクでのデータおよびサイドリンクでのデータのうちの少なくとも１つのデータを伝送するためであり、前記第１の伝送リソースは、共有リソースプールである、前記リソースの構成方法。
【請求項３７】
前記第１の情報は、システム情報または無線リソース制御（ＲＲＣ）専用シグナリングである、
請求項３６に記載のリソースの構成方法。
【請求項３８】
端末装置であって、
ネットワーク装置に能力情報を含む第１の情報を送信するための送信ユニットであって、前記能力情報は、複数キャリアでの同時送受信の能力を指示するためであり、前記複数のキャリアは、第１のタイプのキャリアおよび第２のタイプのキャリアを含み、前記第１のタイプのキャリアは、サイドリンクでのデータを伝送するためであり、前記第２のタイプのキャリアは、アップリンクでのデータ、ダウンリンクでのデータおよびサイドリンクでのデータのうちの少なくとも１つのデータを伝送するためである送信ユニットと、
前記ネットワーク装置によって送信される第２の情報を受信するための受信ユニットであって、前記第２の情報は、前記ネットワーク装置によって割り当てられる前記第１のタイプのキャリアと前記第２のタイプのキャリアに対する第１の伝送リソースおよび前記第１の伝送リソースの有効時間を指示するためである受信ユニットと、を含む、前記端末装置。
【請求項３９】
前記第１の情報は、前記複数のキャリアでデータを集約し伝送することを要求するための要求情報をさらに含む、
請求項３８に記載の端末装置。
【請求項４０】
前記送信ユニットが前記ネットワーク装置に前記第１の情報を送信する前に、前記受信ユニットは、さらに、前記ネットワーク装置によって送信される第３の情報を受信するためであって、前記第３の情報は、第１のタイプのキャリア情報を含み、前記第３の情報は、前記ネットワーク装置が前記第１のタイプのキャリアに対するリソースを割り当てることを指示するためである、
請求項３８または３９に記載の端末装置。
【請求項４１】
前記第３の情報は、システム情報または無線リソース制御（ＲＲＣ）専用シグナリングである、
請求項４０に記載の端末装置。
【請求項４２】
前記端末装置は、
前記第１の伝送リソースにしたがって、第２の伝送リソースを決定するための処理ユニットをさらに含み、
前記送信ユニットは、さらに、前記第２の伝送リソースでデータを送信するためである、
請求項３８ないし４１のいずれか一項に記載の端末装置。
【請求項４３】
前記第１の伝送リソースにしたがって、第２の伝送リソースを決定することは、
前記処理ユニットは、さらに、前記第１の伝送リソースで前記第２の伝送リソースを決定するためである、
請求項４２に記載の端末装置。
【請求項４４】
前記処理ユニットは、さらに、チャネル占有率、複数キャリアでの同時送受信の能力、送信パワー、伝送されたサービスの優先度のうちの少なくとも１つにしたがって、前記第１の伝送リソースで前記第２の伝送リソースを決定するためである、
請求項４３に記載の端末装置。
【請求項４５】
前記送信ユニットは、さらに、前記第１の伝送リソースの有効時間内に、前記第２の伝送リソースでデータを送信するためである、
請求項４２ないし４４のいずれか一項に記載の端末装置。
【請求項４６】
前記第１の伝送リソースは、準静的なスケジューリングリソースおよび/または共有リソースプールである、
請求項３８ないし４５のいずれか一項に記載の端末装置。
【請求項４７】
前記受信ユニットは、さらに、第３の伝送リソースでデータを受信するためであって、前記第３の伝送リソースは、前記ネットワーク装置がシステム情報によって構成されるものであり、前記第３の伝送リソースは、前記第１のタイプのキャリアを含む、
請求項３８ないし４６のいずれか一項に記載の端末装置。
【請求項４８】
前記受信ユニットは、さらに第４の伝送リソースでデータを受信するためであって、前記第４の伝送リソースは、前記ネットワーク装置によって構成されるものであり、前記第４の伝送リソースは、前記第２のタイプのキャリアを含む、
請求項３８ないし４７のいずれか一項に記載の端末装置。
【請求項４９】
ネットワーク装置であって、
端末装置によって送信される第１の情報を受信するための受信ユニットであって、前記第１の情報は、前記端末装置が複数キャリアでの同時送受信の能力を指示するための能力情報を含み、前記複数のキャリアは、第１のタイプのキャリアおよび第２のタイプのキャリアを含み、前記第１のタイプのキャリアは、サイドリンクでのデータを伝送するためであり、前記第２のタイプのキャリアは、アップリンクでのデータ、ダウンリンクでのデータおよびサイドリンクでのデータのうちの少なくとも１つのデータを伝送するためである受信ユニットと、
前記第１の情報にしたがって、前記端末装置に第２の情報を送信するための送信ユニットであって、前記第２の情報は、前記ネットワーク装置によって割り当てられる前記第１のタイプのキャリアと前記第２のタイプのキャリアに対する第１の伝送リソースおよび前記第１の伝送リソースの有効時間を指示するためである送信ユニットと、を含む、前記ネットワーク装置。
【請求項５０】
前記第１の情報は、前記複数のキャリアでデータを集約し伝送することを要求するための要求情報をさらに含む、
請求項４９に記載のネットワーク装置。
【請求項５１】
前記受信ユニットが前記端末装置によって送信される前記第１の情報を受信する前に、前記送信ユニットは、さらに、前記端末装置に第３の情報を送信するためであって、前記第３の情報は、第１のタイプのキャリア情報を含み、前記第３の情報は、前記ネットワーク装置が前記第１のタイプのキャリアに対するリソースを割り当てることを指示するためである、
請求項４９または５０に記載のネットワーク装置。
【請求項５２】
前記第３の情報は、システム情報または無線リソース制御（ＲＲＣ）専用シグナリングである、
請求項５１に記載のネットワーク装置。
【請求項５３】
前記第１の伝送リソースは、準静的なスケジューリングリソースおよび/または共有リソースプールである、
請求項４９ないし５２のいずれか一項に記載のネットワーク装置。
【請求項５４】
前記送信ユニットは、さらに、前記端末装置に第４の情報を送信するためであって、前記第４の情報は、第３の伝送リソースを指示するためであり、前記第３の伝送リソースは、前記端末装置がデータを受信するリソースであり、前記第３の伝送リソースは、前記第１のタイプのキャリアを含む、
請求項４９ないし５３のいずれか一項に記載のネットワーク装置。
【請求項５５】
端末装置であって、
ネットワーク装置に能力情報を含む第１の情報を送信するための送信ユニットであって、前記能力情報は、複数キャリアでの同時送受信の能力を指示するためであり、前記複数のキャリアは、第１のタイプのキャリアおよび第２のタイプのキャリアを含み、前記第１のタイプのキャリアは、サイドリンクでのデータを伝送するためであり、前記第２のタイプのキャリアは、アップリンクでのデータ、ダウンリンクでのデータおよびサイドリンクでのデータのうちの少なくとも１つのデータを伝送するためである送信ユニットと、
前記ネットワーク装置によって送信される第２の情報を受信するための受信ユニットであって、前記第２の情報は、前記ネットワーク装置によって割り当てられる前記第２のタイプのキャリアに対する第１の伝送リソースおよび前記第１の伝送リソースの有効時間を指示するためである受信ユニットと、を含む、前記端末装置。
【請求項５６】
前記第１の情報は、前記複数のキャリアでデータを集約し伝送することを要求するための要求情報をさらに含む、
請求項５５に記載の端末装置。
【請求項５７】
前記端末装置は、
第１の伝送リソースおよび前記第１のタイプのキャリアでのチャネル占有率にしたがって、前記第１のタイプのキャリアに対する第２の伝送リソースを決定するための処理ユニットをさらに含む、
請求項５５または５６に記載の端末装置。
【請求項５８】
前記処理ユニットは、さらに、前記第１の伝送リソースおよび前記第２の伝送リソースにしたがって、第３の伝送リソースを決定するためであり、
前記送信ユニットは、さらに、前記第３の伝送リソースでデータを送信するためである、
請求項５７に記載の端末装置。
【請求項５９】
前記処理ユニットは、さらに、前記第１の伝送リソースおよび/または前記第２の伝送リソースで前記第３の伝送リソースを決定するためである、
請求項５８に記載の端末装置。
【請求項６０】
前記処理ユニットは、さらに、チャネル占有率、複数キャリアでの同時送受信の能力、送信パワー、伝送されたサービスの優先度のうちの少なくとも１つにしたがって、前記第１の伝送リソースおよび/または前記第２の伝送リソースで前記第３の伝送リソースを決定するためである、
請求項５９に記載の端末装置。
【請求項６１】
送信パワーがプリセットパワーより大きいかまたは等しい場合、前記第３の伝送リソースに含まれる複数のキャリアは時間ドメインで重ねられ、および/または、
送信パワーが前記プリセットパワーより小さい場合、前記第３の伝送リソースに含まれる複数のキャリアは時間ドメインで重ねられない、
請求項６０に記載の端末装置。
【請求項６２】
前記送信ユニットは、さらに、前記第１のリソースの有効時間内に、前記第３の伝送リソースでデータを送信するためである、
請求項５８ないし６１のいずれか一項に記載の端末装置。
【請求項６３】
前記第１の伝送リソースは、準静的なスケジューリングリソースおよび/または共有リソースプールである、
請求項５５ないし６２のいずれか一項に記載の端末装置。
【請求項６４】
前記受信ユニットは、さらに、第４の伝送リソースでデータを受信するためであって、前記第４の伝送リソースは、前記ネットワーク装置によって構成されるものであり、前記第４の伝送リソースは、前記第２のタイプのキャリアを含む、
請求項５５ないし６３のいずれか一項に記載の端末装置。
【請求項６５】
ネットワーク装置であって、
端末装置によって送信される第１の情報を受信するための受信ユニットであって、前記第１の情報は、複数キャリアでの同時送受信の能力を指示するための能力情報を含み、前記複数のキャリアは、第１のタイプのキャリアおよび第２のタイプのキャリアを含み、前記第１のタイプのキャリアは、サイドリンクでのデータを伝送するためであり、前記第２のタイプのキャリアは、アップリンクでのデータ、ダウンリンクでのデータおよびサイドリンクでのデータのうちの少なくとも１つのデータを伝送するためである受信ユニットと、
前記第１の情報にしたがって、前記端末装置に第２の情報を送信するための送信ユニットであって、前記第２の情報は、前記ネットワーク装置によって割り当てられる前記第２のタイプのキャリアに対する第１の伝送リソースおよび前記第１の伝送リソースの有効時間を指示するためである送信ユニットと、を含む、前記ネットワーク装置。
【請求項６６】
前記第１の情報は、前記複数のキャリアでデータを集約し伝送することを要求するための要求情報をさらに含む、
請求項６５に記載のネットワーク装置。
【請求項６７】
前記第１の伝送リソースは、準静的なスケジューリングリソースおよび/または共有リソースプールである、
請求項６５または６６に記載のネットワーク装置。
【請求項６８】
前記送信ユニットは、さらに、前記端末装置に第３の情報を送信するためであって、前記第３の情報は、第２の伝送リソースを指示するためであり、前記第２の伝送リソースは、前記端末装置がデータを受信するリソースであり、前記第２の伝送リソースは、前記第２のタイプのキャリアを含む、
請求項６５ないし６７のいずれか一項に記載のネットワーク装置。
【請求項６９】
端末装置であって、
ネットワーク装置によって送信される第１の情報を受信するための受信ユニットであって、前記第１の情報は、前記ネットワーク装置によって割り当てられる複数のキャリアに対する第１の伝送リソースおよび前記第１の伝送リソースの有効時間を指示するためであり、前記複数のキャリアは、第１のタイプのキャリアおよび第２のタイプのキャリアを含み、前記第１のタイプのキャリアは、サイドリンクでのデータを伝送するためであり、前記第２のタイプのキャリアは、アップリンクでのデータ、ダウンリンクでのデータおよびサイドリンクでのデータのうちの少なくとも１つのデータを伝送するためであり、前記第１の伝送リソースは、共有リソースプールである受信ユニットと、
前記第１の伝送リソースにしたがって、第２の伝送リソースを決定するための処理ユニット、
前記第２の伝送リソースでデータを送信するための送信ユニットと、を含む、前記端末装置。
【請求項７０】
前記処理ユニットは、さらに、前記第１の伝送リソースで前記第２の伝送リソースを決定するためである、
請求項６９に記載の端末装置。
【請求項７１】
前記第１の情報は、システム情報または無線リソース制御（ＲＲＣ）専用シグナリングである、
請求項６９または７０に記載の端末装置。
【請求項７２】
前記処理ユニットは、さらに、前記第１の伝送リソースで第３の伝送リソースを決定するためであり、
前記送信ユニットは、さらに、前記第３の伝送リソースでデータを受信するためである、
請求項６９ないし７１のいずれか一項に記載の端末装置。
【請求項７３】
ネットワーク装置であって、
端末装置に第１の情報を送信するための送信ユニットであって、前記第１の情報は、前記端末装置によって割り当てられる複数のキャリアに対する第１の伝送リソースおよび前記第１の伝送リソースの有効時間を指示するためであり、前記複数のキャリアは、第１のタイプのキャリアおよび第２のタイプのキャリアを含み、前記第１のタイプのキャリアは、サイドリンクでのデータを伝送するためであり、前記第２のタイプのキャリアは、アップリンクでのデータ、ダウンリンクでのデータおよびサイドリンクでのデータのうちの少なくとも１つのデータを伝送するためであり、前記第１の伝送リソースは、共有リソースプールである送信ユニットを含む、前記ネットワーク装置。
【請求項７４】
前記第１の情報は、システム情報または無線リソース制御（ＲＲＣ）専用シグナリングである、
請求項７３に記載のネットワーク装置。
【発明の詳細な説明】
【技術分野】
【０００１】
本出願は、通信分野に関し、そしてより具体的には、リソースの構成方法、端末装置およびネットワーク装置に関する。
【背景技術】
【０００２】
第３の世代パートナーシッププロジェクト（３ＧＰＰ：ｔｈｅ  ３ｒｄ  Ｇｅｎｅｒａｔｉｏｎ  Ｐａｒｔｎｅｒｓｈｉｐ  Ｐｒｏｊｅｃｔ）プロトコルのバージョンＲｅｌｅａｓｅ−１５において、端末装置のサービスは、各キャリアで独立したスケジューリングと伝送をサポートすることができるが、キャリアのタイプは一致する必要がある。例えば、車両から他の装置（Ｖ２Ｘ：Ｖｅｈｉｃｌｅ  ｔｏ  Ｅｖｅｒｙｔｈｉｎｇ）サービスをサポートする端末装置が、複数のＰＣ５（ＰｒｏＳｅ  Ｃｏｎｔｒｏｌ  ５）キャリアで独立したスケジューリングと伝送を行える。
【０００３】
しかしながら、５Ｇニューラジオ（ＮＲ：Ｎｅｗ  Ｒａｄｉｏ）において、一部の端末装置は、アップリンク（ＵＬ：Ｕｐｌｉｎｋ）、およびサイドリンク（ＳＬ：Ｓｉｄｅｌｉｎｋ）で同時にデータを集約し伝送する必要がある場合があり、既存の単一のタイプのキャリアでの独立したスケジューリングと伝送は、５Ｇ  ＮＲにおけるデータ伝送に対する要求を満たすことができない。
【発明の概要】
【発明が解決しようとする課題】
【０００４】
本出願の実施例は、リソースの構成方法、端末装置およびネットワーク装置を提供し、端末装置が、混合キャリア（ＰＣ５キャリアリソース＋Ｕｕキャリアリソース）およびＰＣ５キャリアでデータを集約し伝送することをサポートでき、これにより、５Ｇ  ＮＲにおけるデータ伝送の効率を向上させ、同時に、５Ｇ  ＮＲにおけるデータ伝送がさらに柔軟になる。
【課題を解決するための手段】
【０００５】
第１の態様において、本出願の実施例は、
ネットワーク装置に第１の情報を送信することであって、当該第１の情報は、複数キャリアでの同時送受信の能力を指示するための能力情報を含み、当該複数のキャリアは、第１のタイプのキャリアおよび第２のタイプのキャリアを含み、当該第１のタイプのキャリアは、サイドリンクでのデータを伝送するためであり、当該第２のタイプのキャリアは、アップリンクでのデータ、ダウンリンクでのデータおよびサイドリンクでのデータのうちの少なくとも１つのデータを伝送するためであることと、
当該ネットワーク装置によって送信される第２の情報を受信することであって、当該第２の情報は、当該ネットワーク装置によって割り当てられる当該第１のタイプのキャリアと当該第２のタイプのキャリアに対する第１の伝送リソースおよび当該第１の伝送リソースの有効時間を指示するためであることと、を含む、リソースの構成方法を提供する。
【０００６】
選択的に、当該第１のタイプのキャリアは、ＰＣ５キャリアであり、当該第２のタイプのキャリアは、混合キャリア（ＰＣ５＋Ｕｕ）である。
【０００７】
したがって、本出願の実施例のリソースの構成方法において、複数のキャリア（第１のタイプのキャリアおよび第２のタイプのキャリア）で同時に送受信する能力と、ネットワーク装置によって割り当てられる第１のタイプのキャリアと第２のタイプのキャリアに対する第１の伝送リソースおよび第１の伝送リソースの有効時間とを有することを指示するために、端末装置は、ネットワーク装置に能力情報を送信する。それにより、端末装置が、複数のキャリアでデータを集約し伝送するリソースを決定することができる。
【０００８】
さらに、ネットワーク装置は、第１のタイプのキャリアと第２のタイプのキャリアに対するリソースを同時にスケジューリングし、第１のタイプのキャリアと第２のタイプのキャリアに対するリソースを端末装置に割り当てることができ、さらに、端末装置は、第１のタイプのキャリアおよび第２のタイプのキャリアでデータを集約し伝送する目的を実現することにより、データ伝送の効率を向上させる。
【０００９】
選択的に、第１の態様の実現形態において、当該第１の情報は、当該複数のキャリアでデータを集約し伝送することを要求するための要求情報をさらに含む。
【００１０】
したがって、本出願の実施例のリソースの構成方法において、端末装置が、ネットワーク装置に能力情報を送信するとともに、ネットワーク装置に要求情報を送信することもできて、複数のキャリアでデータを集約し伝送することを要求する。それにより、ネットワーク装置は、端末装置にリソースを効果的に割り当てることができる。
【００１１】
選択的に、第１の態様の実現形態において、当該ネットワーク装置に当該第１の情報を送信する前に、当該方法は、
当該ネットワーク装置によって送信される第３の情報を受信することであって、当該第３の情報は、第１のタイプのキャリア情報を含み、当該第３の情報は、当該ネットワーク装置が当該第１のタイプのキャリアに対するリソースを割り当てることを指示するためである。
【００１２】
選択的に、第１の態様の実現形態において、当該第３の情報は、システム情報または無線リソース制御（Ｒａｄｉｏ  Ｒｅｓｏｕｒｃｅ  Ｃｏｎｔｒｏｌ：ＲＲＣ）専用シグナリングである。
【００１３】
選択的に、第１の態様の実現形態において、当該方法は、
当該第１の伝送リソースにしたがって、第２の伝送リソースを決定することと、
当該第２の伝送リソースでデータを送信することと、をさらに含む。
【００１４】
選択的に、第１の態様の実現形態において、当該第１の伝送リソースにしたがって、第２の伝送リソースを決定することは、
当該第１の伝送リソースで当該第２の伝送リソースを決定することを含む。
【００１５】
したがって、本出願の実施例のリソースの構成方法において、端末装置は、データを送信する第２の伝送リソースをネットワーク装置によって割り当てられる第１の伝送リソースで決定することにより、データ伝送の効率を向上させる。
【００１６】
選択的に、第１の態様の実現形態において、当該第１の伝送リソースで当該第２の伝送リソースを決定することは、
チャネル占有率、複数キャリアでの同時送受信の能力、送信パワー、伝送されたサービスの優先度のうちの少なくとも１つにしたがって、当該第１の伝送リソースで当該第２の伝送リソースを決定することを含む。
【００１７】
したがって、本出願の実施例のリソースの構成方法において、端末装置が第２の伝送リソースを決定する際に、チャネル占有率、複数キャリアでの同時送受信の能力、送信パワー、伝送されたサービスの優先度などの要素を同時に考慮する。それにより、決定された第２の伝送リソースが端末装置の実際の要求とより一致する。
【００１８】
選択的に、第１の態様の実現形態において、当該方法は、
当該第１の伝送リソースの有効時間内に、当該第２の伝送リソースでデータを送信することをさらに含む。
【００１９】
選択的に、第１の態様の実現形態において、当該第１の伝送リソースは、準静的なスケジューリングリソースおよび/または共有リソースプールである。
【００２０】
選択的に、第１の態様の実現形態において、当該方法は、
第３の伝送リソースでデータを受信することであって、当該第３の伝送リソースは、当該ネットワーク装置がシステム情報によって構成されるものであり、当該第３の伝送リソースは、当該第１のタイプのキャリアを含むことをさらに含む。
【００２１】
選択的に、第１の態様の実現形態において、当該方法は、
第４の伝送リソースでデータを受信することであって、当該第４の伝送リソースは、当該ネットワーク装置によって構成されるものであり、当該第４の伝送リソースは、当該第２のタイプのキャリアを含むことをさらに含む。
【００２２】
第２の態様において、本出願の実施例は、
端末装置によって送信される第１の情報を受信することであって、当該第１の情報は、当該端末装置が複数キャリアでの同時送受信の能力を指示するための能力情報を含み、当該複数のキャリアは、第１のタイプのキャリアおよび第２のタイプのキャリアを含み、当該第１のタイプのキャリアは、サイドリンクでのデータを伝送するためであり、当該第２のタイプのキャリアは、アップリンクでのデータ、ダウンリンクでのデータおよびサイドリンクでのデータのうちの少なくとも１つのデータを伝送するためであることと、
当該第１の情報にしたがって、当該端末装置に第２の情報を送信することであって、当該第２の情報は、当該ネットワーク装置によって割り当てられる当該第１のタイプのキャリアと当該第２のタイプのキャリアに対する第１の伝送リソースおよび当該第１の伝送リソースの有効時間を指示するためであることとを含む、リソースの構成方法を提供する。
【００２３】
したがって、本出願の実施例のリソースの構成方法において、複数のキャリア（第１のタイプのキャリアおよび第２のタイプのキャリア）で同時に送受信する能力と、ネットワーク装置によって割り当てられる第１のタイプのキャリアと第２のタイプのキャリアに対する第１の伝送リソースおよび第１の伝送リソースの有効時間とを有することを指示するために、端末装置は、ネットワーク装置に能力情報を送信する。それにより、端末装置が、複数のキャリアでデータを集約し伝送するリソースを決定することができる。
【００２４】
さらに、ネットワーク装置は、第１のタイプのキャリアと第２のタイプのキャリアに対するリソースを同時にスケジューリングし、第１のタイプのキャリアと第２のタイプのキャリアに対するリソースを端末装置に割り当てることができ、さらに、端末装置は、第１のタイプのキャリアおよび第２のタイプのキャリアでデータを集約し伝送する目的を実現することにより、データ伝送の効率を向上させる。
【００２５】
選択的に、第２の態様の実現形態において、当該第１の情報は、当該複数のキャリアでデータを集約し伝送することを要求するための要求情報をさらに含む。
【００２６】
したがって、本出願の実施例のリソースの構成方法において、端末装置が、ネットワーク装置に能力情報を送信するとともに、ネットワーク装置に要求情報を送信することもできて、複数のキャリアでデータを集約し伝送することを要求する。それにより、ネットワーク装置は、端末装置にリソースを効果的に割り当てることができる。
【００２７】
選択的に、第２の態様の実現形態において、当該端末装置によって送信される当該第１の情報を受信する前に、当該方法は、
当該端末装置に第３の情報を送信することであって、当該第３の情報は、第１のタイプのキャリア情報を含み、当該第３の情報は、当該ネットワーク装置が当該第１のタイプのキャリアに対するリソースを割り当てることを指示するためである。
【００２８】
選択的に、第２の態様の実現形態において、当該第３の情報は、システム情報または無線リソース制御（ＲＲＣ）専用シグナリングである。
【００２９】
選択的に、第２の態様の実現形態において、当該第１の伝送リソースは、準静的なスケジューリングリソースおよび/または共有リソースプールである。
【００３０】
選択的に、第２の態様の実現形態において、当該端末装置に第４の情報を送信することであって、当該第４の情報は、第３の伝送リソースを指示するためであり、当該第３の伝送リソースは、当該端末装置がデータを受信するリソースであり、当該第３の伝送リソースは、当該第１のタイプのキャリアを含む。
【００３１】
したがって、本出願の実施例のリソースの構成方法において、ネットワーク装置は、端末装置に対して、第１のタイプのキャリアに対する、データを受信するリソースをさらに割り当てることができる。
【００３２】
第３の態様において、本出願の実施例は、
ネットワーク装置に第１の情報を送信することであって、当該第１の情報は、複数キャリアでの同時送受信の能力を指示するための能力情報を含み、当該複数のキャリアは、第１のタイプのキャリアおよび第２のタイプのキャリアを含み、当該第１のタイプのキャリアは、サイドリンクでのデータを伝送するためであり、当該第２のタイプのキャリアは、アップリンクでのデータ、ダウンリンクでのデータおよびサイドリンクでのデータのうちの少なくとも１つのデータを伝送するためであることと、
当該ネットワーク装置によって送信される第２の情報を受信することであって、当該第２の情報は、当該ネットワーク装置によって割り当てられる当該第２のタイプのキャリアに対する第１の伝送リソースおよび当該第１の伝送リソースの有効時間を指示するためであることと、を含む、リソースの構成方法を提供する。
【００３３】
したがって、本出願の実施例のリソースの構成方法において、複数のキャリア（第１のタイプのキャリアおよび第２のタイプのキャリア）で同時に送受信する能力と、ネットワーク装置によって割り当てられる第２のタイプのキャリアに対する第１の伝送リソースおよび第１の伝送リソースの有効時間とを有することを指示するために、端末装置は、ネットワーク装置に能力情報を送信する。
【００３４】
さらに、ネットワーク装置は、第２のタイプのキャリアに対するリソースを端末装置に割り当てることができることにより、端末装置が、第２のタイプのキャリアに対するリソースにしたがって、第１のタイプのキャリアに対するリソースを決定することができ、端末装置は、第１のタイプのキャリアおよび第２のタイプのキャリアでデータを集約し伝送する目的を実現することにより、データ伝送の効率を向上させる。
【００３５】
選択的に、第３の態様の実現形態において、当該第１の情報は、当該複数のキャリアでデータを集約し伝送することを要求するための要求情報をさらに含む。
【００３６】
したがって、本出願の実施例のリソースの構成方法において、端末装置が、ネットワーク装置に能力情報を送信するとともに、ネットワーク装置に要求情報を送信することもできて、複数のキャリアでデータを集約し伝送することを要求する。それにより、ネットワーク装置は、端末装置にリソースを効果的に割り当てることができる。
【００３７】
選択的に、第３の態様の実現形態において、当該方法は、
第１の伝送リソースおよび当該第１のタイプのキャリアでのチャネル占有率にしたがって、当該第１のタイプのキャリアに対する第２の伝送リソースを決定することをさらに含む。
【００３８】
したがって、本出願の実施例のリソースの構成方法において、端末装置は、ネットワーク装置によって割り当てられる第２のタイプのキャリアに対する第１の伝送リソースおよび第１のタイプのキャリアでのチャネル占有率にしたがって、第１のタイプのキャリアに対する第２の伝送リソースを決定する。それにより、端末装置が、第１の伝送リソースおよび第２の伝送リソースでデータを送信するリソースを決定することができ、さらに、端末装置は、第１のタイプのキャリアおよび第２のタイプのキャリアでデータを集約し伝送する目的を実現することができる。
【００３９】
選択的に、第３の態様の実現形態において、当該方法は、
当該第１の伝送リソースおよび当該第２の伝送リソースにしたがって、第３の伝送リソースを決定することと、
当該第３の伝送リソースでデータを送信することと、をさらに含む。
【００４０】
選択的に、第３の態様の実現形態において、当該第１の伝送リソースおよび当該第２の伝送リソースにしたがって、第３の伝送リソースを決定することは、
当該第１の伝送リソースおよび/または当該第２の伝送リソースで当該第３の伝送リソースを決定することを含む。
【００４１】
選択的に、第３の態様の実現形態において、当該第１の伝送リソースおよび/または当該第２の伝送リソースで当該第３の伝送リソースを決定することは、
チャネル占有率、複数キャリアでの同時送受信の能力、送信パワー、伝送されたサービスの優先度のうちの少なくとも１つにしたがって、当該第１の伝送リソースおよび/または当該第２の伝送リソースで当該第３の伝送リソースを決定することを含む。
【００４２】
選択的に、第３の態様の実現形態において、送信パワーがプリセットパワーより大きいかまたは等しい場合、当該第３の伝送リソースに含まれる複数のキャリアは時間ドメインで重ねられ、および/または
送信パワーが当該プリセットパワーより小さい場合、当該第３の伝送リソースに含まれる複数のキャリアは時間ドメインで重ねられない。
【００４３】
選択的に、第３の態様の実現形態において、当該方法は、
当該第１のリソースの有効時間内に、当該第３の伝送リソースでデータを送信することをさらに含む。
【００４４】
選択的に、第３の態様の実現形態において、当該第１の伝送リソースは、準静的なスケジューリングリソースおよび/または共有リソースプールである。
【００４５】
選択的に、第３の態様の実現形態において、当該方法は、
第４の伝送リソースでデータを受信することであって、当該第４の伝送リソースは、当該ネットワーク装置によって構成されるものであり、当該第４の伝送リソースは、当該第２のタイプのキャリアを含む。
【００４６】
第４の態様において、本出願の実施例は、
端末装置によって送信される第１の情報を受信することであって、当該第１の情報は、複数キャリアでの同時送受信の能力を指示するための能力情報を含み、当該複数のキャリアは、第１のタイプのキャリアおよび第２のタイプのキャリアを含み、当該第１のタイプのキャリアは、サイドリンクでのデータを伝送するためであり、当該第２のタイプのキャリアは、アップリンクでのデータ、ダウンリンクでのデータおよびサイドリンクでのデータのうちの少なくとも１つのデータを伝送するためであることと、
当該第１の情報にしたがって、当該端末装置に第２の情報を送信することであって、当該第２の情報は、当該ネットワーク装置によって割り当てられる当該第２のタイプのキャリアに対する第１の伝送リソースおよび当該第１の伝送リソースの有効時間を指示するためであることと、を含む、リソースの構成方法を提供する。
【００４７】
したがって、本出願の実施例のリソースの構成方法において、複数のキャリア（第１のタイプのキャリアおよび第２のタイプのキャリア）で同時に送受信する能力と、ネットワーク装置によって割り当てられる第２のタイプのキャリアに対する第１の伝送リソースおよび第１の伝送リソースの有効時間とを有することを指示するために、端末装置は、ネットワーク装置に能力情報を送信する。
【００４８】
さらに、ネットワーク装置は、第２のタイプのキャリアに対するリソースを端末装置に割り当てることができることにより、端末装置が、第２のタイプのキャリアに対するリソースにしたがって、第１のタイプのキャリアに対するリソースを決定することができる。それにより、端末装置は、複数のキャリアでデータを集約し伝送するリソースを決定することができる。それにより、データ伝送の効率を向上させる。
【００４９】
選択的に、第４の態様の実現形態において、当該第１の情報は、当該複数のキャリアでデータを集約し伝送することを要求するための要求情報をさらに含む。
【００５０】
選択的に、第４の態様の実現形態において、当該第１の伝送リソースは、準静的なスケジューリングリソースおよび/または共有リソースプールである。
【００５１】
選択的に、第４の態様の実現形態において、当該方法は、
当該端末装置に第３の情報を送信することであって、当該第３の情報は、第２の伝送リソースを指示するためであり、当該第２の伝送リソースは、当該端末装置がデータを受信するリソースであり、当該第２の伝送リソースは、当該第２のタイプのキャリアを含むことをさらに含む。
【００５２】
第５の態様において、本出願の実施例は、
ネットワーク装置によって送信される第１の情報を受信することであって、当該第１の情報は、当該ネットワーク装置によって割り当てられる複数のキャリアに対する第１の伝送リソースおよび当該第１の伝送リソースの有効時間を指示するためであり、当該複数のキャリアは、第１のタイプのキャリアおよび第２のタイプのキャリアを含み、当該第１のタイプのキャリアは、サイドリンクでのデータを伝送するためであり、当該第２のタイプのキャリアは、アップリンクでのデータ、ダウンリンクでのデータおよびサイドリンクでのデータのうちの少なくとも１つのデータを伝送するためであり、当該第１の伝送リソースは、共有リソースプールであることと、
当該第１の伝送リソースにしたがって、第２の伝送リソースを決定することと、
当該第２の伝送リソースでデータを送信することと、を含む、リソースの構成方法を提供する。
【００５３】
したがって、本出願の実施例のリソースの構成方法において、ネットワーク装置は、第１のタイプのキャリアと第２のタイプのキャリアに対する第１の伝送リソースを直接に指示することができ、それにより、端末装置は、第１の伝送リソースにしたがってデータを送信する第２の伝送リソースを決定することができ、さらに、第１のタイプのキャリアおよび第２のタイプのキャリアで集約・伝送する目的を実現することができることにより、データ伝送の効率を向上させる。
【００５４】
選択的に、第５の態様の実現形態において、当該第１の伝送リソースにしたがって、第２の伝送リソースを決定することは、
当該第１の伝送リソースで当該第２の伝送リソースを決定することを含む。
【００５５】
選択的に、第５の態様の実現形態において、当該第１の情報は、システム情報または無線リソース制御（ＲＲＣ）専用シグナリングである。
【００５６】
選択的に、第５の態様の実現形態において、当該方法は、
当該第１の伝送リソースで第３の伝送リソースを決定することと、
当該第３の伝送リソースでデータを受信することと、をさらに含む。
【００５７】
第６の態様において、本出願の実施例は、
端末装置に第１の情報を送信することであって、当該第１の情報は、当該端末装置によって割り当てられる複数のキャリアに対する第１の伝送リソースおよび当該第１の伝送リソースの有効時間を指示するためであり、当該複数のキャリアは、第１のタイプのキャリアおよび第２のタイプのキャリアを含み、当該第１のタイプのキャリアは、サイドリンクでのデータを伝送するためであり、当該第２のタイプのキャリアは、アップリンクでのデータ、ダウンリンクでのデータおよびサイドリンクでのデータのうちの少なくとも１つのデータを伝送するためであり、当該第１の伝送リソースは、共有リソースプールであることを含む、リソースの構成方法を提供する。
【００５８】
したがって、本出願の実施例のリソースの構成方法において、ネットワーク装置は、第１のタイプのキャリアと第２のタイプのキャリアに対する第１の伝送リソースを直接に指示することができて、端末装置は、第１の伝送リソースにしたがってデータを送信する第２の伝送リソースを決定することができ、さらに、第１のタイプのキャリアおよび第２のタイプのキャリアで集約・伝送する目的を実現することができることにより、データ伝送の効率を向上させる。
【００５９】
選択的に、第６の態様の実現形態において、当該第１の情報は、システム情報または無線リソース制御（ＲＲＣ）専用シグナリングである。
【００６０】
第７の態様において、本出願の実施例は、第１の態様または第１の態様の任意の選択可能な実現形態における方法のモジュールまたはユニットを実行することができる端末装置を提供する。
【００６１】
第８の態様において、本出願の実施例は、第２の態様または第２の態様の任意の選択可能な実現形態における方法のモジュールまたはユニットを実行することができるネットワーク装置を提供する。
【００６２】
第９の態様において、本出願の実施例は、第３の態様または第３の態様の任意の選択可能な実現形態における方法のモジュールまたはユニットを実行することができる端末装置を提供する。
【００６３】
第１０の態様において、本出願の実施例は、第４の態様または第４の態様の任意の選択可能な実現形態における方法のモジュールまたはユニットを実行することができるネットワーク装置を提供する。
【００６４】
第１１の態様において、本出願の実施例は、第５の態様または第５の態様の任意の選択可能な実現形態における方法のモジュールまたはユニットを実行することができる端末装置を提供する。
【００６５】
第１２の態様において、本出願の実施例は、第６の態様または第６の態様の任意の選択可能な実現形態における方法のモジュールまたはユニットを実行することができるネットワーク装置を提供する。
【００６６】
第１３の態様において、プロセッサ、メモリおよび通信インターフェースを含む端末装置を提供する。プロセッサは、メモリおよび通信インターフェースに接続される。メモリは、命令を記憶するためであり、プロセッサは、当該命令を実行するためであり、通信インターフェースは、プロセッサの制御下で他のネットワーク要素と通信するためである。当該プロセッサが当該メモリに記憶された命令を実行すると、当該実行により、当該プロセッサに第１の態様または第１の態様の任意の可能な実現形態における方法を実行させる。
【００６７】
第１４の態様において、プロセッサ、メモリおよび通信インターフェースを含むネットワーク装置を提供する。プロセッサは、メモリおよび通信インターフェースに接続される。メモリは、命令を記憶するためであり、プロセッサは、当該命令を実行するためであり、通信インターフェースは、プロセッサの制御下で他のネットワーク要素と通信するためである。当該プロセッサが当該メモリに記憶された命令を実行すると、当該実行により、当該プロセッサに第２の態様または第２の態様の任意の可能な実現形態における方法を実行させる。
【００６８】
第１５の態様において、プロセッサ、メモリおよび通信インターフェースを含む端末装置を提供する。プロセッサは、メモリおよび通信インターフェースに接続される。メモリは、命令を記憶するためであり、プロセッサは、当該命令を実行するためであり、通信インターフェースは、プロセッサの制御下で他のネットワーク要素と通信するためである。当該プロセッサが当該メモリに記憶された命令を実行すると、当該実行により、当該プロセッサに第３の態様または第３の態様の任意の可能な実現形態における方法を実行させる。
【００６９】
第１６の態様において、プロセッサ、メモリおよび通信インターフェースを含むネットワーク装置を提供する。プロセッサは、メモリおよび通信インターフェースに接続される。メモリは、命令を記憶するためであり、プロセッサは、当該命令を実行するためであり、通信インターフェースは、プロセッサの制御下で他のネットワーク要素と通信するためである。当該プロセッサが当該メモリに記憶された命令を実行すると、当該実行により、当該プロセッサに第４の態様または第４の態様の任意の可能な実現形態における方法を実行させる。
【００７０】
第１７の態様において、プロセッサ、メモリおよび通信インターフェースを含む端末装置を提供する。プロセッサは、メモリおよび通信インターフェースに接続される。メモリは、命令を記憶するためであり、プロセッサは、当該命令を実行するためであり、通信インターフェースは、プロセッサの制御下で他のネットワーク要素と通信するためである。当該プロセッサが当該メモリに記憶された命令を実行すると、当該実行により、当該プロセッサに第５の態様または第５の態様の任意の可能な実現形態における方法を実行させる。
【００７１】
第１８の態様において、プロセッサ、メモリおよび通信インターフェースを含むネットワーク装置を提供する。プロセッサは、メモリおよび通信インターフェースに接続される。メモリは、命令を記憶するためであり、プロセッサは、当該命令を実行するためであり、通信インターフェースは、プロセッサの制御下で他のネットワーク要素と通信するためである。当該プロセッサが当該メモリに記憶された命令を実行すると、当該実行により、当該プロセッサに第６の態様または第６の態様の任意の可能な実現形態における方法を実行させる。
【００７２】
第１９の態様において、コンピュータが前記第１の態様または第１の態様のいずれか可能な実現形態における方法の命令を実行することを指示するためのプログラムコードが記憶されるコンピュータ記憶媒体を提供する。
【００７３】
第２０の態様において、コンピュータが前記第２の態様または第２の態様のいずれか可能な実現形態における方法の命令を実行することを指示するためのプログラムコードが記憶されるコンピュータ記憶媒体を提供する。
【００７４】
第２１の態様において、コンピュータが前記第３の態様または第３の態様のいずれか可能な実現形態における方法の命令を実行することを指示するためのプログラムコードが記憶されるコンピュータ記憶媒体を提供する。
【００７５】
第２２の態様において、コンピュータが前記第４の態様または第４の態様のいずれか可能な実現形態における方法の命令を実行することを指示するためのプログラムコードが記憶されるコンピュータ記憶媒体を提供する。
【００７６】
第２３の態様において、コンピュータが前記第５の態様または第５の態様のいずれか可能な実現形態における方法の命令を実行することを指示するためのプログラムコードが記憶されるコンピュータ記憶媒体を提供する。
【００７７】
第２４の態様において、コンピュータが前記第６の態様または第６の態様のいずれか可能な実現形態における方法の命令を実行することを指示するためのプログラムコードが記憶されるコンピュータ記憶媒体を提供する。
【００７８】
第２５の態様において、コンピュータで実行されると、コンピュータに前記各態様に記載の方法を実行させる、命令が含まれるコンピュータプログラム製品を提供する。
【図面の簡単な説明】
【００７９】
【図１】本出願の実施例の適用シナリオの模式図を示す。
【図２】本出願の実施例の別の適用シナリオの模式図を示す。
【図３】本出願の実施例のデータを集約し伝送する模式図を示す。
【図４】本出願の実施例に係るリソースの構成方法の模式的なフローチャートである。
【図５】本出願の実施例に係る別のリソースの構成方法の模式的なフローチャートである。
【図６】本出願の実施例に係るもう１つのリソースの構成方法の模式的なフローチャートである。
【図７】本出願の実施例に係るもう１つのリソースの構成方法の模式的なフローチャートである。
【図８】本出願の実施例に係るもう１つのリソースの構成方法の模式的なフローチャートである。
【図９】本出願の実施例に係るもう１つのリソースの構成方法の模式的なフローチャートである。
【図１０】本出願の実施例に係る端末装置の模式的なブロック図である。
【図１１】本出願の実施例に係るネットワーク装置の模式的なブロック図である。
【図１２】本出願の実施例に係る別の端末装置の模式的なブロック図である。
【図１３】本出願の実施例に係る別のネットワーク装置の模式的なブロック図である。
【図１４】本出願の実施例に係るもう１つの端末装置の模式的なブロック図である。
【図１５】本出願の実施例に係るもう１つのネットワーク装置の模式的なブロック図である。
【図１６】本出願の実施例によって提供されるリソース構成のための装置の模式的なブロック図を示す。
【図１７】本出願の実施例に係るシステムチップの模式的な構造図である。
【発明を実施するための形態】
【００８０】
以下、本出願の実施例における技術的解決策を本出願の実施例における図面を参照して明確かつ完全に説明する。
【００８１】
本出願の実施例の技術的解決策は、例えば、ロングタームエボリューション（ＬＴＥ：Ｌｏｎｇ  Ｔｅｒｍ  Ｅｖｏｌｕｔｉｏｎ）システム、ＬＴＥ周波数分割二重（ＦＤＤ：Ｆｒｅｑｕｅｎｃｙ  Ｄｉｖｉｓｉｏｎ  Ｄｕｐｌｅｘ）システム、ＬＴＥ時分割二重（ＴＤＤ：Ｔｉｍｅ  Ｄｉｖｉｓｉｏｎ  Ｄｕｐｌｅｘ）、汎用移動通信システム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）または未来の５Ｇシステムなど様々な通信システムに適用されることができる。
【００８２】
本出願の実施例の技術的解決策は、車両ネットワーキングシステムに適用されることができ、車両ネットワーキングシステムは、前記様々な通信システム、例えば、ＬＴＥ−Ｄ２Ｄの車両ネットワーキングシステムに基づいて、デバイス間（Ｄ２Ｄ：Ｄｅｖｉｃｅ  ｔｏ  Ｄｅｖｉｃｅ）通信を実現することができることを理解されたい。デバイス間の通信データがネットワーク装置（例えば、基地局）を介して受信または送信する従来のＬＴＥシステムの方式とは異なって、車両ネットワーキングシステムは、デバイスからデバイスが直接に通信する方式を使用するため、スペクトル効率が高く、伝送遅延も低い。
【００８３】
Ｄ２Ｄ通信は、車両間（Ｖ２Ｖ：Ｖｅｈｉｃｌｅ  ｔｏ  Ｖｅｈｉｃｌｅ）通信または車両から他の装置（Ｖ２Ｘ：Ｖｅｈｉｃｌｅ  ｔｏ  Ｅｖｅｒｙｔｈｉｎｇ）通信を指すことができる。Ｖ２Ｘ通信において、Ｘは、低速移動の無線装置、高速移動の車載装置などであるがこれに限定されない無線で送受信する機能を備える任意の装置、または無線送受信機能を備えるネットワーク制御ノードなどを指すことができる。本発明の実施例は、主にＶ２Ｘ通信のシナリオに適用されるが、他の任意のＤ２Ｄ通信シナリオにも適用されることができ、本出願の実施例はこれに対して限定しないことを理解されたい。
【００８４】
本出願の実施例における端末装置は、例えば、未来５Ｇネットワークにおける端末装置または未来進化の公衆陸上移動通信網（ＰＬＭＮ：Ｐｕｂｌｉｃ  Ｌａｎｄ  Ｍｏｂｉｌｅ  Ｎｅｔｗｏｒｋ）における端末装置など、車載端末装置を指してもよく、車載端末装置と通信する他の装置であってもよく、本出願の実施例は限定されない。
【００８５】
本出願は、ネットワーク装置を参照して各実施例を説明する。本出願の実施例におけるネットワーク装置は、端末装置と通信する装置であってもよく、当該ネットワーク装置は、ＬＴＥシステムにおける進化型基地局（ｅＮＢまたはｅＮｏｄｅＢ：Ｅｖｏｌｕｔｉｏｎａｌ  ＮｏｄｅＢ、）であってもよく、クラウド無線アクセスネットワーク（ＣＲＡＮ：Ｃｌｏｕｄ  Ｒａｄｉｏ  Ａｃｃｅｓｓ  Ｎｅｔｗｏｒｋ）シナリオでのワイヤレスコントローラであってもよく、または当該ネットワーク装置は、リレーステーション、アクセスポイント、車載装置、ウェアラブル装置および未来５Ｇネットワークにおけるネットワーク装置（例えば、ｇＮＢ）または未来進化のＰＬＭＮネットワークにおけるネットワーク装置などであってもよく、本出願の実施例は限定されない。
【００８６】
図１および図２は、本出願の実施例の適用シナリオの模式図を示す。図１は、ネットワーク装置と２つの端末装置を例示的に示す。選択的に、本出願の実施例における無線通信システムは、複数のネットワーク装置を含むことができ、そして各ネットワーク装置のカバー範囲内には他の数の端末装置を含むことができ、本出願の実施例はこれに対して限定しない。なお、当該無線通信システムは、モビリティ管理エンティティ（ＭＭＥ：Ｍｏｂｉｌｅ  Ｍａｎａｇｅｍｅｎｔ  Ｅｎｔｉｔｙ）、サービスゲートウェイ（Ｓ−ＧＷ：Ｓｅｒｖｉｎｇ  Ｇａｔｅｗａｙ）、パケットデータネットワークゲートウェイ（Ｐ−ＧＷ：Ｐａｃｋｅｔ  Ｄａｔａ  Ｎｅｔｗｏｒｋ  Ｇａｔｅｗａｙ）など他のネットワークエンティティをさらに含むことができるが、本出願の実施例はこれに限定されない。
【００８７】
具体的には、端末装置（例えば、車載端末）２０および端末装置（他の端末）３０は、Ｄ２Ｄ通信モードで通信することができ、Ｄ２Ｄ通信を行う場合、端末装置２０および端末装置３０は、Ｄ２Ｄリンク、即ち、サイドリンク（ＳＬ：Ｓｉｄｅｌｉｎｋ）を介して直接に通信する。例えば、図１または図２に示されたように、端末装置２０および端末装置３０は、サイドリンクを介して直接に通信する。図１では、端末装置２０と端末装置３０との間は、サイドリンクを介して通信して、その伝送リソース（例えば、キャリア）は、ネットワーク装置によって割り当てられ、図２では、端末装置２０と端末装置３０との間は、サイドリンクを介して通信して、その伝送リソースは、端末装置が自律的に選択（例えば、端末装置がリソースプールで使用可能なキャリアを選択し、リソースプールは、事前に構成されたものである）され、ネットワーク装置が伝送リソースを割り当てる必要がない。
【００８８】
図３に示されたように、端末装置は、混合キャリアとＰＣ５（ＰｒｏＳｅ  Ｃｏｎｔｒｏｌ  ５）キャリアでデータを集約し伝送することができ、端末装置は、混合キャリアでアップリンク（ＵＬ：Ｕｐｌｉｎｋ）、ダウンリンク（ＤＬ：Ｄｏｗｎｌｉｎｋ）およびサイドリンク（ＳＬ：Ｓｉｄｅｌｉｎｋ）うちの少なくとも１つのデータを伝送することができ、混合キャリアでの伝送リソースは、ネットワーク装置（例えば、基地局）によって割り当てられたものであり、端末装置は、ＰＣ５キャリアでサイドリンクでのデータを伝送することができ、ＰＣ５キャリアでの伝送リソースは、ネットワーク装置（例えば、基地局）によって割り当てられてもよく、端末装置が事前に構成されたリソースプールで選択したものであってもよい。
【００８９】
選択的に、端末装置は、混合キャリアを介してＰＣ５キャリアおよびＵｕキャリアのリソースで同時にデータを伝送してもよい。
【００９０】
なお、本出願の各態様または特徴は、方法、装置または標準的なプログラミングおよび/またはエンジニアリング技術を使用した製造品として具現されることができる。本出願で使用した「製造品」という用語
は、任意のコンピュータ読み取り可能なデバイス、キャリアまたは媒体からアクセス可能なコンピュータプログラムを含む。例えば、コンピュータ読み取り可能な媒体は、磁気記憶装置（例えば、ハードディスク、フロッピーディスクまたは磁気テープなど）、光ディスク（例えば、コンパクトディスク（ＣＤ：Ｃｏｍｐａｃｔ  Ｄｉｓｃ）、デジタル多用途ディスク（ＤＶＤ：Ｄｉｇｉｔａｌ  Ｖｅｒｓａｔｉｌｅ  Ｄｉｓｃ）等）、スマートカードおよびフラッシュメモリデバイス（例えば、消去可能なプログラム可能な読み取り専用メモリ（ＥＰＲＯＭ：Ｅｒａｓａｂｌｅ  Ｐｒｏｇｒａｍｍａｂｌｅ  Ｒｅａｄ−Ｏｎｌｙ  Ｍｅｍｏｒｙ）、カード、スティックまたはキードライバなど）を含むことができるが、これらに限定されない。さらに、本明細書で説明された様々な記憶媒体は、情報を記憶するための１つまたは複数の装置および／または他の機械読み取り可能な媒体を表すことができる。「機械読み取り可能な媒体」という用語は、命令および／またはデータを格納、収容および／または搬送することができる様々な媒体を含むことができるが、これらに限定されない。
【００９１】
本明細書における「システム」および「ネットワーク」という用語は、本明細書で常に互換的に使用されることを理解されたい。本明細書における「および／または」という用語は、関連付けられたオブジェクトを説明する単なる関連付けであり、３種類の関係が存在することができることを示し、例えば、Ａおよび／またはＢは、Ａが独立で存在する場合、ＡとＢが同時に存在する場合、Ｂが独立で存在する場合など３つの場合を表す。さらに、本明細書における文字「／」は、一般的に、コンテキストオブジェクトが「または」の関係であることを示す。
【００９２】
図４は、本出願の実施例に係るリソースの構成方法２００の模式的なフローチャートである。如図４に示されたように、当該方法２００は、端末装置によって実行されることができ、当該端末装置は、図１または図２に示されたような端末装置であってもよく、当該端末装置は、図３に示されたように、混合キャリアおよびＰＣ５キャリアでデータを集約し伝送することができ、当該方法２００におけるネットワーク装置は、図１に示されたようなネットワーク装置であってもよい。当該方法２００は、次のコンテンツを含む。
【００９３】
ステップ２１０において、ネットワーク装置に第１の情報を送信することであって、当該第１の情報は、複数キャリアでの同時送受信の能力を指示するための能力情報を含み、当該複数のキャリアは、第１のタイプのキャリアおよび第２のタイプのキャリアを含み、当該第１のタイプのキャリアは、サイドリンクでのデータを伝送するためであり、当該第２のタイプのキャリアは、アップリンクでのデータ、ダウンリンクでのデータおよびサイドリンクでのデータのうちの少なくとも１つのデータを伝送するためである。
【００９４】
選択的に、端末装置が当該能力情報を送信することは、当該端末装置が第１のタイプのキャリアおよび第２のタイプのキャリアでデータを伝送することができることを示し、即ち、当該端末装置は、Ｖ２Ｘサービスをサポートすることもでき、ネットワーク装置との間のアップリンクサービスとダウンリンクサービスをサポートすることもできる。
【００９５】
選択的に、ネットワーク装置がリソースを割り当てるときに、より合理的なリソースを当該端末装置に割り当てるように、端末装置は、データの伝送が必要になる前に、当該能力情報をネットワーク装置に報告することができる。
【００９６】
選択的に、当該第１のタイプのキャリアは、ＰＣ５キャリアであり、当該第２のタイプのキャリアは、混合キャリアであり、当該混合キャリアは、ＰＣ５キャリアとＵｕキャリアでのリソースを同時に含むことができ、即ち、混合キャリアは、アップリンクでのデータ、ダウンリンクでのデータおよびサイドリンクでのデータのうちの少なくとも１つのデータを伝送するために使用されることができる。
【００９７】
選択的に、当該第１の情報は、当該複数のキャリアでデータを集約し伝送することを要求するための要求情報をさらに含む。選択的に、端末装置は、当該端末装置が当該複数のキャリアでのリソースを使用する必要があることを示す当該要求メッセージを送信する。
【００９８】
選択的に、端末装置は、当該複数のキャリアでデータを集約し伝送する必要がある場合、当該ネットワーク装置に当該要求情報を送信する。
【００９９】
選択的に、端末装置は、起動されてネットワークにアクセスする場合、ネットワーク装置に当該能力情報および当該要求情報を同時に送信することができる。
【０１００】
ステップ２２０において、当該ネットワーク装置によって送信される第２の情報を受信することであって、当該第２の情報は、当該ネットワーク装置によって割り当てられる当該第１のタイプのキャリアと当該第２のタイプのキャリアに対する第１の伝送リソースおよび当該第１の伝送リソースの有効時間を指示するためである。
【０１０１】
選択的に、ネットワーク装置は、端末装置の能力情報を取得した後に、当該第１のタイプのキャリアと当該第２のタイプのキャリアに対する第１の伝送リソースおよび当該第１の伝送リソースの有効時間を端末装置に割り当てることができる。
【０１０２】
選択的に、ネットワーク装置は、端末装置の能力情報および要求情報を取得した後に、当該第１のタイプのキャリアと当該第２のタイプのキャリアに対する第１の伝送リソースおよび当該第１の伝送リソースの有効時間を端末装置に割り当てることができる。
【０１０３】
選択的に、当該第１の伝送リソースは、準静的なスケジューリングリソースおよび/または共有リソースプールである。
【０１０４】
選択的に、端末装置は、データを送信する必要がある場合、それ自体に対する準静的なスケジューリングリソースを直接に使用することができ、ネットワーク装置に再度要求する必要がない。
【０１０５】
選択的に、当該第１の伝送リソースが共有リソースプールである場合、ネットワーク装置は共有リソースプールの時間ドメイン情報、即ち、当該共有リソースプールの有効時間をさらに構成することができ、端末装置は、当該共有リソースプールの有効時間内しか当該共有リソースプールのリソースを使用することができない。
【０１０６】
選択的に、ネットワーク装置は、当該第１のタイプのキャリアと当該第２のタイプのキャリアに対する第１の伝送リソースを割り当てることは、当該ネットワーク装置が当該第１のタイプのキャリアおよび当該第２のタイプのキャリアでのリソースを同時に制御することを示す。
【０１０７】
選択的に、当該ネットワーク装置に当該第１の情報を送信する前に、当該方法は、
当該ネットワーク装置によって送信される第３の情報を受信することであって、当該第３の情報は、第１のタイプのキャリア情報を含み、当該第３の情報は、当該ネットワーク装置が当該第１のタイプのキャリアに対するリソースを割り当てることを指示するためであることをさらに含む。
【０１０８】
選択的に、ネットワーク装置が当該第３の情報を送信することは、当該ネットワーク装置は、当該第１のタイプのキャリアに対するリソースを割り当てる能力を有すること、即ち、ネットワーク装置が当該第１のタイプのキャリアに対するリソースを制御することを示す。
【０１０９】
選択的に、事前に構成されるネットワーク装置は、当該第２のタイプのキャリアに対するリソースを割り当てる能力を有する。
【０１１０】
選択的に、当該第３の情報は、システム情報または無線リソース制御（ＲＲＣ：Ｒａｄｉｏ  Ｒｅｓｏｕｒｃｅ  Ｃｏｎｔｒｏｌ）専用シグナリングである。
【０１１１】
選択的に、当該方法２００は、
当該第１の伝送リソースにしたがって、第２の伝送リソースを決定することと、
当該第２の伝送リソースでデータを送信することと、をさらに含む。
【０１１２】
選択的に、端末装置は、第２の伝送リソースでアップリンクでのデータを送信することができ、サイドリンクでのデータを送信することもでき、アップリンクとサイドリンクでのデータを同時に送信することもできる。
【０１１３】
選択的に、サイドリンクでのデータは、Ｖ２Ｘサービスデータであり得る。
【０１１４】
選択的に、当該第１の伝送リソースで当該第２の伝送リソースを決定する。
【０１１５】
選択的に、第２の伝送リソースは、ネットワーク装置によって割り当てられる第１の伝送リソースの一部または全部である。
【０１１６】
選択的に、端末装置は、チャネル占有率（ＣＢＲ：Ｃｈａｎｎｅｌ  Ｂｕｓｙ  Ｒａｔｉｏ）、複数キャリアでの同時送受信の能力、送信パワー、伝送されたサービスの優先度のうちの少なくとも１つにしたがって、当該第１の伝送リソースで当該第２の伝送リソースを決定する。
【０１１７】
選択的に、当該第１の伝送リソースで当該第２の伝送リソースを決定する場合、当該複数のキャリアのうちの各キャリアのＣＢＲを参照することができる。
【０１１８】
選択的に、送信パワーが十分に大きい場合、端末装置は、アップリンクとサイドリンクでデータを送信することができる。
【０１１９】
選択的に、送信パワーが不十分な場合、端末装置は、アップリンクとサイドリンクでデータを並列に送信することができるが、時間ドメインでずらされる。
【０１２０】
選択的に、当該第１の伝送リソースの有効時間内に、当該第２の伝送リソースでデータを送信する。
【０１２１】
選択的に、当該第１の伝送リソースが共有リソースプールである場合、端末装置は、当該第１の伝送リソースの有効時間内に、当該第２の伝送リソースでデータを送信する。
【０１２２】
選択的に、当該第１の伝送リソースが準静的なスケジューリングリソースである場合、端末装置は、当該第２の伝送リソースでデータを送信するときに、準静的なスケジューリングリソースが解放するかどうかを考慮する必要がある。
【０１２３】
選択的に、当該方法２００は、
第３の伝送リソースでデータを受信することであって、当該第３の伝送リソースは、当該ネットワーク装置がシステム情報によって構成されるものであり、当該第３の伝送リソースは、当該第１のタイプのキャリアを含むことをさらに含む。
【０１２４】
選択的に、当該第３の伝送リソースがネットワーク装置によって構成される、データを送信する第１の伝送リソースより大きい場合があって、即ち、端末装置がデータを受信することに占有するリソースがより大きい。
【０１２５】
選択的に、当該方法は、
第４の伝送リソースでデータを受信することであって、当該第４の伝送リソースは、当該ネットワーク装置によって構成されるものであり、当該第４の伝送リソースは、当該第２のタイプのキャリアを含むことをさらに含む。
【０１２６】
選択的に、当該第４の伝送リソースは、ネットワーク装置によって構成される、データを送信する第１の伝送リソースより大きい場合があって、即ち、端末装置がデータを受信することに占有するリソースがより大きい。
【０１２７】
したがって、本出願の実施例のリソースの構成方法において、複数のキャリア（第１のタイプのキャリアおよび第２のタイプのキャリア）で同時に送受信する能力と、ネットワーク装置によって割り当てられる第１のタイプのキャリアと第２のタイプのキャリアに対する第１の伝送リソースおよび第１の伝送リソースの有効時間とを有することを指示するために、端末装置は、ネットワーク装置に能力情報を送信する。それにより、端末装置が、複数のキャリアでデータを集約し伝送するリソースを決定することができる。
【０１２８】
さらに、ネットワーク装置は、第１のタイプのキャリアと第２のタイプのキャリアに対するリソースを同時にスケジューリングし、第１のタイプのキャリアと第２のタイプのキャリアに対するリソースを端末装置に割り当てることができ、さらに、端末装置は、第１のタイプのキャリアおよび第２のタイプのキャリアでデータを集約し伝送する目的を実現することにより、データ伝送の効率を向上させる。
【０１２９】
図５は、本出願の実施例に係るリソースの構成方法３００の模式的なフローチャートである。図５に示されたように、当該方法３００は、ネットワーク装置によって実行されることができ、当該ネットワーク装置は、図１に示されたようなネットワーク装置であってもよく、当該ネットワーク装置は、図３に示されたように、混合キャリアおよびＰＣ５キャリアでデータを集約し伝送するリソースを端末装置に割り当て、当該方法３００における端末装置は、図１または図２に示されたような端末装置であってもよい。当該方法３００は、次のコンテンツを含む。
【０１３０】
ステップ３１０において、端末装置によって送信される第１の情報を受信することであって、当該第１の情報は、当該端末装置が複数キャリアでの同時送受信の能力を指示するための能力情報を含み、当該複数のキャリアは、第１のタイプのキャリアおよび第２のタイプのキャリアを含み、当該第１のタイプのキャリアは、サイドリンクでのデータを伝送するためであり、当該第２のタイプのキャリアは、アップリンクでのデータ、ダウンリンクでのデータおよびサイドリンクでのデータのうちの少なくとも１つのデータを伝送するためである。
【０１３１】
選択的に、当該第１の伝送リソースは、準静的なスケジューリングリソースおよび/または共有リソースプールである。
【０１３２】
選択的に、当該第１の情報は、当該複数のキャリアでデータを集約し伝送することを要求するための要求情報をさらに含む。
【０１３３】
選択的に、当該端末装置によって送信される当該第１の情報を受信する前に、当該方法は、
当該端末装置に第３の情報を送信することであって、当該第３の情報は、第１のタイプのキャリア情報を含み、当該第３の情報は、当該ネットワーク装置が当該第１のタイプのキャリアに対するリソースを割り当てることを指示するためであることをさらに含む。
【０１３４】
選択的に、当該第３の情報は、システム情報または無線リソース制御（ＲＲＣ）専用シグナリングである。
【０１３５】
ステップ３２０において、当該第１の情報にしたがって、当該端末装置に第２の情報を送信することであって、当該第２の情報は、当該ネットワーク装置によって割り当てられる当該第１のタイプのキャリアと当該第２のタイプのキャリアに対する第１の伝送リソースおよび当該第１の伝送リソースの有効時間を指示するためである。
【０１３６】
選択的に、ネットワーク装置は、当該第１のタイプのキャリアに対する伝送リソースを制御する。
【０１３７】
選択的に、事前に構成されるネットワーク装置は、当該第２のタイプのキャリアに対する伝送リソースを制御する。
【０１３８】
選択的に、当該端末装置に第４の情報を送信することであって、当該第４の情報は、第３の伝送リソースを指示するためであり、当該第３の伝送リソースは、当該端末装置がデータを受信するリソースであり、当該第３の伝送リソースは、当該第１のタイプのキャリアを含む。
【０１３９】
リソースの構成方法３００におけるステップは、リソースの構成方法２００における対応するステップの説明を参照することができることを理解されたい。簡潔性のために、ここでは繰り返さない。
【０１４０】
したがって、本出願の実施例のリソースの構成方法において、複数のキャリア（第１のタイプのキャリアおよび第２のタイプのキャリア）で同時に送受信する能力と、ネットワーク装置によって割り当てられる第１のタイプのキャリアと第２のタイプのキャリアに対する第１の伝送リソースおよび第１の伝送リソースの有効時間とを有することを指示するために、端末装置は、ネットワーク装置に能力情報を送信する。それにより、端末装置が、複数のキャリアでデータを集約し伝送するリソースを決定することができる。
【０１４１】
さらに、ネットワーク装置は、第１のタイプのキャリアと第２のタイプのキャリアに対するリソースを同時にスケジューリングし、第１のタイプのキャリアと第２のタイプのキャリアに対するリソースを端末装置に割り当てることができ、さらに、端末装置は、第１のタイプのキャリアおよび第２のタイプのキャリアでデータを集約し伝送する目的を実現することにより、データ伝送の効率を向上させる。
【０１４２】
図６は、本出願の実施例に係るリソースの構成方法４００の模式的なフローチャートである。図６に示されたように、当該方法４００は、端末装置によって実行されることができ、当該端末装置は、図１または図２に示されたような端末装置であってもよく、当該端末装置は、図３に示されたように、混合キャリアおよびＰＣ５キャリアでデータを集約し伝送することができ、当該方法４００におけるネットワーク装置は、図１に示されたようなネットワーク装置であってもよい。当該方法４００は、次のコンテンツを含む。
【０１４３】
ステップ４１０において、ネットワーク装置に第１の情報を送信することであって、当該第１の情報は、複数キャリアでの同時送受信の能力を指示するための能力情報を含み、当該複数のキャリアは、第１のタイプのキャリアおよび第２のタイプのキャリアを含み、当該第１のタイプのキャリアは、サイドリンクでのデータを伝送するためであり、当該第２のタイプのキャリアは、アップリンクでのデータ、ダウンリンクでのデータおよびサイドリンクでのデータのうちの少なくとも１つのデータを伝送するためである。
【０１４４】
選択的に、当該第１の情報は、当該複数のキャリアでデータを集約し伝送することを要求するための要求情報をさらに含む。
【０１４５】
選択的に、当該第１の伝送リソースは、準静的なスケジューリングリソースおよび/または共有リソースプールである。
【０１４６】
ステップ４２０において、当該ネットワーク装置によって送信される第２の情報を受信することであって、当該第２の情報は、当該ネットワーク装置によって割り当てられる当該第２のタイプのキャリアに対する第１の伝送リソースおよび当該第１の伝送リソースの有効時間を指示するためである。
【０１４７】
選択的に、ネットワーク装置は、当該第１のタイプのキャリアに対する伝送リソースを制御しない。
【０１４８】
選択的に、事前に構成されるネットワーク装置は、当該第２のタイプのキャリアに対する伝送リソースを制御する。
【０１４９】
選択的に、この場合、端末装置は、事前に構成される共有リソースプールにしたがって、第１のタイプのキャリアに対する伝送リソースを制御することができる。
【０１５０】
選択的に、端末装置は、第１の伝送リソースおよび当該第１のタイプのキャリアでのチャネル占有率にしたがって、当該第１のタイプのキャリアに対する第２の伝送リソースを決定することができる。
【０１５１】
選択的に、当該方法４００は、
端末装置が、当該第１の伝送リソースおよび当該第２の伝送リソースにしたがって、第３の伝送リソースを決定することと、
当該第３の伝送リソースでデータを送信することと、をさらに含む。
【０１５２】
選択的に、端末装置は、当該第１の伝送リソースおよび/または当該第２の伝送リソースで当該第３の伝送リソースを決定することができる。
【０１５３】
選択的に、端末装置がデータを送信する第３の伝送リソースの一部は、ネットワーク装置によって割り当てられる第１の伝送リソースから取得されることができ、もう一部は、端末装置の自体が割り当てる第２の伝送リソースから取得されることができる。
【０１５４】
選択的に、チャネル占有率、複数キャリアでの同時送受信の能力、送信パワー、伝送されたサービスの優先度のうちの少なくとも１つにしたがって、当該第１の伝送リソースおよび/または当該第２の伝送リソースで当該第３の伝送リソースを決定する。
【０１５５】
選択的に、送信パワーがプリセットパワーより大きいかまたは等しい場合、当該第３の伝送リソースに含まれる複数のキャリアは時間ドメインで重ねられ、および/または
送信パワーが当該プリセットパワーより小さい場合、当該第３の伝送リソースに含まれる複数のキャリアは時間ドメインで重ねられない。
【０１５６】
選択的に、当該方法４００は、
当該第１のリソースの有効時間内に、当該第３の伝送リソースでデータを送信することをさらに含む。
【０１５７】
選択的に、当該方法４００は、
第４の伝送リソースでデータを受信することであって、当該第４の伝送リソースは、当該ネットワーク装置によって構成されるものであり、当該第４の伝送リソースは、当該第２のタイプのキャリアを含むことをさらに含む。
【０１５８】
リソースの構成方法４００におけるステップは、リソースの構成方法２００における対応するステップの説明を参照することができることを理解されたい。簡潔性のために、ここでは繰り返さない。
【０１５９】
したがって、本出願の実施例のリソースの構成方法において、複数のキャリア（第１のタイプのキャリアおよび第２のタイプのキャリア）で同時に送受信する能力と、ネットワーク装置によって割り当てられる第２のタイプのキャリアに対する第１の伝送リソースおよび第１の伝送リソースの有効時間とを有することを指示するために、端末装置は、ネットワーク装置に能力情報を送信する。
【０１６０】
さらに、ネットワーク装置は、第２のタイプのキャリアに対するリソースを端末装置に割り当てることができることにより、端末装置が、第２のタイプのキャリアに対するリソースにしたがって、第１のタイプのキャリアに対するリソースを決定することができ、端末装置は、第１のタイプのキャリアおよび第２のタイプのキャリアでデータを集約し伝送する目的を実現することにより、データ伝送の効率を向上させる。
【０１６１】
図７は、本出願の実施例に係るリソースの構成方法５００の模式的なフローチャートである。図７に示されたように、当該方法５００は、ネットワーク装置によって実行されることができ、当該ネットワーク装置は、図１に示されたようなネットワーク装置であってもよく、当該ネットワーク装置は、図３に示されたように、混合キャリアおよびＰＣ５キャリアでデータを集約し伝送するリソースを端末装置に割り当て、当該方法５００における端末装置は、図１または図２に示されたような端末装置であってもよい。当該方法５００は、次のコンテンツを含む。
【０１６２】
ステップ５１０において、端末装置によって送信される第１の情報を受信することであって、当該第１の情報は、複数キャリアでの同時送受信の能力を指示するための能力情報を含み、当該複数のキャリアは、第１のタイプのキャリアおよび第２のタイプのキャリアを含み、当該第１のタイプのキャリアは、サイドリンクでのデータを伝送するためであり、当該第２のタイプのキャリアは、アップリンクでのデータ、ダウンリンクでのデータおよびサイドリンクでのデータのうちの少なくとも１つのデータを伝送するためである。
【０１６３】
選択的に、当該第１の情報は、当該複数のキャリアでデータを集約し伝送することを要求するための要求情報をさらに含む。
【０１６４】
選択的に、当該第１の伝送リソースは、準静的なスケジューリングリソースおよび/または共有リソースプールである。
【０１６５】
ステップ５２０において、当該第１の情報にしたがって、当該端末装置に第２の情報を送信することであって、当該第２の情報は、当該ネットワーク装置によって割り当てられる当該第２のタイプのキャリアに対する第１の伝送リソースおよび当該第１の伝送リソースの有効時間を指示するためである。
【０１６６】
選択的に、ネットワーク装置は、当該第１のタイプのキャリアに対する伝送リソースを制御しない。
【０１６７】
選択的に、事前に構成されるネットワーク装置は、当該第２のタイプのキャリアに対する伝送リソースを制御する。
【０１６８】
選択的に、この場合、端末装置は、事前に構成される共有リソースプールにしたがって、第１のタイプのキャリアに対する伝送リソースを制御することができる。
【０１６９】
選択的に、当該方法は、
当該端末装置に第３の情報を送信することであって、当該第３の情報は、第２の伝送リソースを指示するためであり、当該第２の伝送リソースは、当該端末装置がデータを受信するリソースであり、当該第２の伝送リソースは、当該第２のタイプのキャリアを含むことをさらに含む。
【０１７０】
リソースの構成方法５００におけるステップは、リソースの構成方法２００における対応するステップの説明を参照することができることを理解されたい。簡潔性のために、ここでは繰り返さない。
【０１７１】
したがって、本出願の実施例のリソースの構成方法において、複数のキャリア（第１のタイプのキャリアおよび第２のタイプのキャリア）で同時に送受信する能力と、ネットワーク装置によって割り当てられる第２のタイプのキャリアに対する第１の伝送リソースおよび第１の伝送リソースの有効時間とを有することを指示するために、端末装置は、ネットワーク装置に能力情報を送信する。
【０１７２】
さらに、ネットワーク装置は、第２のタイプのキャリアに対するリソースを端末装置に割り当てることができることにより、端末装置が、第２のタイプのキャリアに対するリソースにしたがって、第１のタイプのキャリアに対するリソースを決定することができ、端末装置が複数のキャリアでデータを集約し伝送するリソースを決定することができることにより、データ伝送の効率を向上させる。
【０１７３】
図８は、本出願の実施例に係るリソースの構成方法６００の模式的なフローチャートである。図８に示されたように、当該方法６００は、端末装置によって実行されることができ、当該端末装置は、図１または図２に示されたような端末装置であってもよく、当該端末装置は、図３に示されたように、混合キャリアおよびＰＣ５キャリアでデータを集約し伝送することができ、当該方法６００におけるネットワーク装置は、図１に示されたようなネットワーク装置であってもよい。当該方法６００は、次のコンテンツを含む。
【０１７４】
ステップ６１０において、ネットワーク装置によって送信される第１の情報を受信することであって、当該第１の情報は、当該ネットワーク装置によって割り当てられる複数のキャリアに対する第１の伝送リソースおよび当該第１の伝送リソースの有効時間を指示するためであり、当該複数のキャリアは、第１のタイプのキャリアおよび第２のタイプのキャリアを含み、当該第１のタイプのキャリアは、サイドリンクでのデータを伝送するためであり、当該第２のタイプのキャリアは、アップリンクでのデータ、ダウンリンクでのデータおよびサイドリンクでのデータのうちの少なくとも１つのデータを伝送するためであり、当該第１の伝送リソースは、共有リソースプールである。
【０１７５】
選択的に、ネットワーク装置は、当該第１のタイプのキャリアに対する伝送リソースを制御する。
【０１７６】
選択的に、事前に構成されるネットワーク装置は、当該第２のタイプのキャリアに対する伝送リソースを制御する。
【０１７７】
選択的に、当該第１の情報は、システム情報であり得る。
【０１７８】
選択的に、ネットワーク装置は、端末装置の要求が必要ではなく、第１のタイプの伝送リソースおよび第２のタイプの伝送リソースに対する第１の伝送リソースを端末装置に割り当てる。
【０１７９】
ステップ６２０において、当該第１の伝送リソースにしたがって、第２の伝送リソースを決定する。
【０１８０】
選択的に、端末装置は、当該第１の伝送リソースで当該第２の伝送リソースを決定する。
【０１８１】
選択的に、当該第１の情報は、システム情報またはＲＲＣ専用シグナリングである。
【０１８２】
ステップ６３０において、当該第２の伝送リソースでデータを送信する。
【０１８３】
選択的に、当該方法は、
当該第１の伝送リソースで第３の伝送リソースを決定することと、
当該第３の伝送リソースでデータを受信することと、をさらに含む。
【０１８４】
リソースの構成方法６００におけるステップは、リソースの構成方法２００における対応するステップの説明を参照することができることを理解されたい。簡潔性のために、ここでは繰り返さない。
【０１８５】
したがって、本出願の実施例のリソースの構成方法において、ネットワーク装置は、第１のタイプのキャリアと第２のタイプのキャリアに対する第１の伝送リソースを直接に指示することができる。それにより、端末装置は、第１の伝送リソースにしたがってデータを送信する第２の伝送リソースを決定することができ、さらに、第１のタイプのキャリアおよび第２のタイプのキャリアで集約・伝送する目的を実現することができることにより、データ伝送の効率を向上させる。
【０１８６】
図９は、本出願の実施例に係るリソースの構成方法７００の模式的なフローチャートである。図９に示されたように、当該方法７００は、ネットワーク装置によって実行されることができ、当該ネットワーク装置は、図１に示されたようなネットワーク装置であってもよく、当該ネットワーク装置は、図３に示されたように、混合キャリアおよびＰＣ５キャリアでデータを集約し伝送するリソースを端末装置に割り当て、当該方法７００における端末装置は、図１または図２に示されたような端末装置であってもよい。当該方法７００は、次のコンテンツを含む。
【０１８７】
ステップ７１０において、端末装置に第１の情報を送信することであって、当該第１の情報は、当該端末装置によって割り当てられる複数のキャリアに対する第１の伝送リソースおよび当該第１の伝送リソースの有効時間を指示するためであり、当該複数のキャリアは、第１のタイプのキャリアおよび第２のタイプのキャリアを含み、当該第１のタイプのキャリアは、サイドリンクでのデータを伝送するためであり、当該第２のタイプのキャリアは、アップリンクでのデータ、ダウンリンクでのデータおよびサイドリンクでのデータのうちの少なくとも１つのデータを伝送するためであり、当該第１の伝送リソースは、共有リソースプールである。
【０１８８】
選択的に、ネットワーク装置は、当該第１のタイプのキャリアに対する伝送リソースを制御する。
【０１８９】
選択的に、事前に構成されるネットワーク装置は、当該第２のタイプのキャリアに対する伝送リソースを制御する。
【０１９０】
選択的に、ネットワーク装置は、端末装置の要求が必要ではなく、第１のタイプの伝送リソースおよび第２のタイプの伝送リソースに対する第１の伝送リソースを端末装置に割り当てる。
【０１９１】
選択的に、当該第１の情報は、システム情報または無線リソース制御（ＲＲＣ）専用シグナリングである。
【０１９２】
リソースの構成方法７００におけるステップは、リソースの構成方法２００における対応するステップの説明を参照することができることを理解されたい。簡潔性のために、ここでは繰り返さない。
【０１９３】
したがって、本出願の実施例のリソースの構成方法において、ネットワーク装置は、第１のタイプのキャリアと第２のタイプのキャリアに対する第１の伝送リソースを直接に指示することができ、それにより、端末装置は、第１の伝送リソースにしたがってデータを送信する第２の伝送リソースを決定することができ、さらに、第１のタイプのキャリアおよび第２のタイプのキャリアで集約・伝送する目的を実現することができることにより、データ伝送の効率を向上させる。
【０１９４】
図１０は、本出願の実施例に係る端末装置８００の模式的なブロック図である。図１０に示されたように、当該端末装置８００は、
ネットワーク装置に第１の情報を送信するための送信ユニット８１０であって、当該第１の情報は、複数キャリアでの同時送受信の能力を指示するための能力情報を含み、当該複数のキャリアは、第１のタイプのキャリアおよび第２のタイプのキャリアを含み、当該第１のタイプのキャリアは、サイドリンクでのデータを伝送するためであり、当該第２のタイプのキャリアは、アップリンクでのデータ、ダウンリンクでのデータおよびサイドリンクでのデータのうちの少なくとも１つのデータを伝送するためである送信ユニット８１０と、
当該ネットワーク装置によって送信される第２の情報を受信するための受信ユニット８２０であって、当該第２の情報は、当該ネットワーク装置によって割り当てられる当該第１のタイプのキャリアと当該第２のタイプのキャリアに対する第１の伝送リソースおよび当該第１の伝送リソースの有効時間を指示するためである受信ユニット８２０とを含む。
【０１９５】
選択的に、当該第１の情報は、当該複数のキャリアでデータを集約し伝送することを要求するための要求情報をさらに含む。
【０１９６】
選択的に、当該ネットワーク装置に当該第１の情報を送信する前に、当該受信ユニット８２０は、さらに、当該ネットワーク装置によって送信される第３の情報を受信するためであって、当該第３の情報は、第１のタイプのキャリア情報を含み、当該第３の情報は、当該ネットワーク装置が当該第１のタイプのキャリアに対するリソースを割り当てることを指示するためである。
【０１９７】
選択的に、当該第３の情報は、システム情報または無線リソース制御（ＲＲＣ）専用シグナリングである。
【０１９８】
選択的に、当該端末装置は、
当該第１の伝送リソースにしたがって、第２の伝送リソースを決定するための処理ユニット８３０をさらに含み、
当該送信ユニット８１０は、さらに、当該第２の伝送リソースでデータを送信するためである。
【０１９９】
選択的に、当該処理ユニット８３０は、さらに、当該第１の伝送リソースで当該第２の伝送リソースを決定するためである。
【０２００】
選択的に、当該処理ユニット８３０は、さらに、チャネル占有率、複数キャリアでの同時送受信の能力、送信パワー、伝送されたサービスの優先度のうちの少なくとも１つにしたがって、当該第１の伝送リソースで当該第２の伝送リソースを決定するためである。
【０２０１】
選択的に、当該送信ユニット８１０は、さらに、当該第１の伝送リソースの有効時間内に、当該第２の伝送リソースでデータを送信するためである。
【０２０２】
選択的に、当該第１の伝送リソースは、準静的なスケジューリングリソースおよび/または共有リソースプールである。
【０２０３】
選択的に、当該受信ユニット８２０は、さらに、第３の伝送リソースでデータを受信するためであって、当該第３の伝送リソースは、当該ネットワーク装置がシステム情報によって構成されるものであり、当該第３の伝送リソースは、当該第１のタイプのキャリアを含む。
【０２０４】
選択的に、当該受信ユニット８２０は、さらに、第４の伝送リソースでデータを受信するためであって、当該第４の伝送リソースは、当該ネットワーク装置によって構成されるものであり、当該第４の伝送リソースは、当該第２のタイプのキャリアを含む。
【０２０５】
本出願の実施例の端末装置８００は、本出願の方法２００における端末装置に対応されることができ、そして端末装置８００における各ユニットの前記操作および他の操作および/または機能は、それぞれ図４に示される方法２００の端末装置の対応するプロセスを実現するためであることを理解されたい。簡潔性のために、ここでは繰り返さない。
【０２０６】
図１１は、本出願の実施例に係るネットワーク装置９００の模式的なブロック図である。図１１に示されたように、当該ネットワーク装置９００は、
端末装置によって送信される第１の情報を受信するための受信ユニット９１０であって、当該第１の情報は、当該端末装置が複数キャリアでの同時送受信の能力を指示するための能力情報を含み、当該複数のキャリアは、第１のタイプのキャリアおよび第２のタイプのキャリアを含み、当該第１のタイプのキャリアは、サイドリンクでのデータを伝送するためであり、当該第２のタイプのキャリアは、アップリンクでのデータ、ダウンリンクでのデータおよびサイドリンクでのデータのうちの少なくとも１つのデータを伝送するためである受信ユニット９１０と、
当該第１の情報にしたがって、当該端末装置に第２の情報を送信するための送信ユニット９２０であって、当該第２の情報は、当該ネットワーク装置によって割り当てられる当該第１のタイプのキャリアと当該第２のタイプのキャリアに対する第１の伝送リソースおよび当該第１の伝送リソースの有効時間を指示するためである送信ユニット９２０とを含む。
【０２０７】
選択的に、当該第１の情報は、当該複数のキャリアでデータを集約し伝送することを要求するための要求情報をさらに含む。
【０２０８】
選択的に、当該端末装置によって送信される当該第１の情報を受信する前に、当該送信ユニット９２０は、さらに、当該端末装置に第３の情報を送信するためであって、当該第３の情報は、第１のタイプのキャリア情報を含み、当該第３の情報は、当該ネットワーク装置が当該第１のタイプのキャリアに対するリソースを割り当てることを指示するためである。
【０２０９】
選択的に、当該第３の情報は、システム情報または無線リソース制御（ＲＲＣ）専用シグナリングである。
【０２１０】
選択的に、当該第１の伝送リソースは、準静的なスケジューリングリソースおよび/または共有リソースプールである。
【０２１１】
選択的に、当該送信ユニット９２０は、さらに、当該端末装置に第４の情報を送信するためであって、当該第４の情報は、第３の伝送リソースを指示するためであり、当該第３の伝送リソースは、当該端末装置がデータを受信するリソースであり、当該第３の伝送リソースは、当該第１のタイプのキャリアを含む。
【０２１２】
本出願の実施例のネットワーク装置９００は、本出願方法３００におけるネットワーク装置に対応され、そしてネットワーク装置９００における各ユニットの前記操作および他の操作および/または機能は、それぞれ図５に示される方法３００のネットワーク装置の対応するプロセスを実現するためであることを理解されたい。簡潔性のために、ここでは繰り返さない。
【０２１３】
図１２は、本出願の実施例に係る端末装置１０００の模式的なブロック図である。図１２に示されたように、当該端末装置１０００は、
ネットワーク装置に第１の情報を送信するための送信ユニット１０１０であって、当該第１の情報は、複数キャリアでの同時送受信の能力を指示するための能力情報を含み、当該複数のキャリアは、第１のタイプのキャリアおよび第２のタイプのキャリアを含み、当該第１のタイプのキャリアは、サイドリンクでのデータを伝送するためであり、当該第２のタイプのキャリアは、アップリンクでのデータ、ダウンリンクでのデータおよびサイドリンクでのデータのうちの少なくとも１つのデータを伝送するためである送信ユニット１０１０と、
当該ネットワーク装置によって送信される第２の情報を受信するための受信ユニット１０２０であって、当該第２の情報は、当該ネットワーク装置によって割り当てられる当該第２のタイプのキャリアに対する第１の伝送リソースおよび当該第１の伝送リソースの有効時間を指示するためである受信ユニット１０２０と、を含む。
【０２１４】
選択的に、当該第１の情報は、当該複数のキャリアでデータを集約し伝送することを要求するための要求情報をさらに含む。
【０２１５】
選択的に、当該端末装置は、
第１の伝送リソースおよび当該第１のタイプのキャリアでのチャネル占有率にしたがって、当該第１のタイプのキャリアに対する第２の伝送リソースを決定するための処理ユニット１０３０をさらに含む。
【０２１６】
選択的に、当該処理ユニット１０３０は、さらに、当該第１の伝送リソースおよび当該第２の伝送リソースにしたがって、第３の伝送リソースを決定するためである、
当該送信ユニット１０１０は、さらに、当該第３の伝送リソースでデータを送信するためである。
【０２１７】
選択的に、当該処理ユニット１０３０は、さらに、当該第１の伝送リソースおよび/または当該第２の伝送リソースで当該第３の伝送リソースを決定するためである。
【０２１８】
選択的に、当該処理ユニット１０３０は、さらに、チャネル占有率、複数キャリアでの同時送受信の能力、送信パワー、伝送されたサービスの優先度のうちの少なくとも１つにしたがって、当該第１の伝送リソースおよび/または当該第２の伝送リソースで当該第３の伝送リソースを決定するためである。
【０２１９】
選択的に、送信パワーがプリセットパワーより大きいかまたは等しい場合、当該第３の伝送リソースに含まれる複数のキャリアは時間ドメインで重ねられ、および/または
送信パワーが当該プリセットパワーより小さい場合、当該第３の伝送リソースに含まれる複数のキャリアは時間ドメインで重ねられない。
【０２２０】
選択的に、当該送信ユニット１０１０は、さらに、当該第１のリソースの有効時間内に、当該第３の伝送リソースでデータを送信するためである。
【０２２１】
選択的に、当該第１の伝送リソースは、準静的なスケジューリングリソースおよび/または共有リソースプールである。
【０２２２】
選択的に、当該受信ユニット１０２０は、さらに、第４の伝送リソースでデータを受信するためであって、当該第４の伝送リソースは、当該ネットワーク装置によって構成されるものであり、当該第４の伝送リソースは、当該第２のタイプのキャリアを含む。
【０２２３】
本出願の実施例の端末装置１０００は、本出願方法４００における端末装置に対応されることができ、そして端末装置１０００における各ユニットの前記操作および他の操作および/または機能は、それぞれ図６に示される方法４００の端末装置の対応するプロセスを実現するためであることを理解されたい。簡潔性のために、ここでは繰り返さない。
【０２２４】
図１３は、本出願の実施例に係るネットワーク装置１１００の模式的なブロック図である。図１３に示されたように、当該ネットワーク装置１１００は、
端末装置によって送信される第１の情報を受信するための受信ユニット１１１０であって、当該第１の情報は、複数キャリアでの同時送受信の能力を指示するための能力情報を含み、当該複数のキャリアは、第１のタイプのキャリアおよび第２のタイプのキャリアを含み、当該第１のタイプのキャリアは、サイドリンクでのデータを伝送するためであり、当該第２のタイプのキャリアは、アップリンクでのデータ、ダウンリンクでのデータおよびサイドリンクでのデータのうちの少なくとも１つのデータを伝送するためである受信ユニット１１１０と、
当該第１の情報にしたがって、当該端末装置に第２の情報を送信するための送信ユニット１１２０であって、当該第２の情報は、当該ネットワーク装置によって割り当てられる当該第２のタイプのキャリアに対する第１の伝送リソースおよび当該第１の伝送リソースの有効時間を指示するためである送信ユニット１１２０と、を含む。
【０２２５】
選択的に、当該第１の情報は、当該複数のキャリアでデータを集約し伝送することを要求するための要求情報をさらに含む。
【０２２６】
選択的に、当該第１の伝送リソースは、準静的なスケジューリングリソースおよび/または共有リソースプールである。
【０２２７】
選択的に、当該送信ユニット１１２０は、さらに、当該端末装置に第３の情報を送信するためであって、当該第３の情報は、第２の伝送リソースを指示するためであり、当該第２の伝送リソースは、当該端末装置がデータを受信するリソースであり、当該第２の伝送リソースは、当該第２のタイプのキャリアを含む。
【０２２８】
本出願の実施例のネットワーク装置１１００は、本出願方法５００におけるネットワーク装置に対応されることができ、そしてネットワーク装置１１００における各ユニットの前記操作および他の操作および/または機能は、それぞれ図７に示される方法５００のネットワーク装置の対応するプロセスを実現するためであることを理解されたい。簡潔性のために、ここでは繰り返さない。
【０２２９】
図１４は、本出願の実施例に係る端末装置１２００の模式的なブロック図である。図１４に示されたように、当該端末装置１２００は、
ネットワーク装置によって送信される第１の情報を受信するための受信ユニット１２１０であって、当該第１の情報は、当該ネットワーク装置によって割り当てられる複数のキャリアに対する第１の伝送リソースおよび当該第１の伝送リソースの有効時間を指示するためであり、当該複数のキャリアは、第１のタイプのキャリアおよび第２のタイプのキャリアを含み、当該第１のタイプのキャリアは、サイドリンクでのデータを伝送するためであり、当該第２のタイプのキャリアは、アップリンクでのデータ、ダウンリンクでのデータおよびサイドリンクでのデータのうちの少なくとも１つのデータを伝送するためであり、当該第１の伝送リソースは、共有リソースプールである受信ユニット１２１０と、
当該第１の伝送リソースにしたがって、第２の伝送リソースを決定するための処理ユニット１２２０と、
当該第２の伝送リソースでデータを送信するための送信ユニット１２３０と、を含む。
【０２３０】
選択的に、当該処理ユニット１２２０は、さらに、当該第１の伝送リソースで当該第２の伝送リソースを決定するためである。
【０２３１】
選択的に、当該第１の情報は、システム情報または無線リソース制御（ＲＲＣ）専用シグナリングである。
【０２３２】
選択的に、当該処理ユニット１２２０は、さらに、当該第１の伝送リソースで第３の伝送リソースを決定するためである、
当該送信ユニット１２３０は、さらに、当該第３の伝送リソースでデータを受信するためである。
【０２３３】
本出願の実施例の端末装置１２００は、本出願方法６００における端末装置に対応されることができ、そして端末装置１２００における各ユニットの前記操作および他の操作および/または機能は、それぞれ図８に示される方法６００の端末装置の対応するプロセスを実現するためであることを理解されたい。簡潔性のために、ここでは繰り返さない。
【０２３４】
図１５は、本出願の実施例に係るネットワーク装置１３００の模式的なブロック図である。図１５に示されたように、当該ネットワーク装置１３００は、
端末装置に第１の情報を送信するための送信ユニット１３１０であって、当該第１の情報は、当該端末装置によって割り当てられる複数のキャリアに対する第１の伝送リソースおよび当該第１の伝送リソースの有効時間を指示するためであり、当該複数のキャリアは、第１のタイプのキャリアおよび第２のタイプのキャリアを含み、当該第１のタイプのキャリアは、サイドリンクでのデータを伝送するためであり、当該第２のタイプのキャリアは、アップリンクでのデータ、ダウンリンクでのデータおよびサイドリンクでのデータのうちの少なくとも１つのデータを伝送するためであり、当該第１の伝送リソースは、共有リソースプールである送信ユニット１３１０を含む。
【０２３５】
選択的に、当該第１の情報は、システム情報または無線リソース制御（ＲＲＣ）専用シグナリングである。
【０２３６】
本出願の実施例のネットワーク装置１３００は、本出願方法７００におけるネットワーク装置に対応されることができ、そしてネットワーク装置１３００における各ユニットの前記操作および他の操作および/または機能は、それぞれ図９に示される方法７００のネットワーク装置の対応するプロセスを実現するためであることを理解されたい。簡潔性のために、ここでは繰り返さない。
【０２３７】
図１６は、本出願の実施例によって提供されるリソース構成の装置１４００の模式的なブロック図を示し、当該装置１４００は、
コードを含むプログラムを記憶するためのメモリ１４１０と、
他の装置と通信するためのトランシーバ１４２０と、
メモリ１４１０におけるプログラムコードを実行するためのプロセッサ１４３０と、を含む。
【０２３８】
選択的に、当該コードが実行されるとき、当該プロセッサ１４３０は、図４における方法２００または図６における方法４００または図８における方法６００中の端末装置によって実行される各操作を具現することができる。簡潔性のために、ここでは繰り返さない。この場合、当該装置１４００は、端末装置（例えば、携帯電話）であり得る。トランシーバ１４２０は、プロセッサ１４３０の駆動下で具体的な信号の送受信を実行するために使用される。
【０２３９】
選択的に、当該コードが実行されるとき、当該プロセッサ１４３０は、図５における方法３００または図７における方法５００または図９における方法７００中のネットワーク装置によって実行される各操作を具現することができる。簡潔性のために、ここでは繰り返さない。この場合、当該装置１４００は、ネットワーク装置（例えば、アクセスネットワーク装置またはコアネットワーク装置）であり得る。
【０２４０】
本出願の実施例において、当該プロセッサ１４３０は、中央処理装置（ＣＰＵ：Ｃｅｎｔｒａｌ  Ｐｒｏｃｅｓｓｉｎｇ  Ｕｎｉｔ）であってもよく、当該プロセッサ１４３０は、他の汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブルロジックデバイス、ディスクリートゲートまたはトランジスタロジックデバイス、ディスクリートハードウェアデバイスなどであってもよいことを理解されたい。汎用プロセッサは、マイクロプロセッサであってもよく、または当該プロセッサが任意の従来のプロセッサなどであってもよい。
【０２４１】
当該メモリ１４１０は、読み取り専用メモリおよびランダムアクセスメモリを含むことができ、プロセッサ１４３０に命令およびデータを提供する。メモリ１４１０の一部は、さらに不揮発性ランダムアクセスメモリを含むことができる。例えば、メモリ１４１０は、さらに装置のタイプの情報を記憶することもできる。
【０２４２】
トランシーバ１４２０は、例えば、周波数変調および復調機能または高周波数およびダウンコンバージョン機能等の信号の送信および受信の機能を具現するために使用されることができる。
【０２４３】
具現プロセスにおいて、前記方法の少なくとも１つのステップは、プロセッサ１４３０におけるハードウェアの集積論理回路によって完成することができ、または当該集積論理回路は、ソフトウェアの形の命令の駆動下で当該少なくとも１つのステップを完成することができる。したがって、リソース構成の装置１４００は、チップまたはチップセットであることができる。本出願の実施例によって開示された方法のステップは、直接に、ハードウェアプロセッサによって実行されて完成することとして具現され、またはプロセッサ中のハードウェアおよびソフトウェアモジュールの組み合わせによって実行して完成する。ソフトウェアモジュールは、ランダムメモリ、フラッシュメモリ、読み取り専用メモリ、プログラマブル読み取り専用メモリまたは電気的に消去可能なプログラマブルメモリ、レジスタなど従来の記憶媒体に配置されることができる。当該記憶媒体は、メモリに配置され、プロセッサ１４３０は、メモリ中の情報を読み取り、そのハードウェアに結合して前記方法のステップを完成する。繰り返しを避けるため、ここでは詳しく説明しない。
【０２４４】
図１７は、本出願の実施例に係るシステムチップ１５００の模式的な構造図である。図１７のシステムチップ１５００は、入力インターフェース１５０１、出力インターフェース１５０２、プロセッサ１５０３およびメモリ１５０４を含む、これらの間には内部通信接続ラインを介して接続されることができ、当該プロセッサ１５０３は、当該メモリ１５０４中のコードを実行するために使用される。
【０２４５】
選択的に、当該コードが実行されるとき、当該プロセッサ１５０３は、方法の実施例における端末装置によって実行される方法を具現する。簡潔性のために、ここでは繰り返さない。
【０２４６】
選択的に、当該コードが実行されるとき、当該プロセッサ１５０３は、方法の実施例におけるネットワーク装置によって実行される方法を具現する。簡潔性のために、ここでは繰り返さない。
【０２４７】
当業者は、本明細書に開示された実施例で説明された各例示のユニットおよびアルゴリズムステップを合わせて、電子ハードウェア、またはコンピュータソフトウェアおよび電子ハードウェアの組み合わせによって実現することができることを理解するであろう。これらの機能がハードウェアで実行されるかソフトウェアで実行されるかは、技術的解決策の特定の応用および設計の制約条件に依存する。専門技術者は、各特定の応用に対して異なる方法を使用して説明された機能を実現することができるが、このような実現は本出願の範囲を超えると見なされるべきではない。
【０２４８】
当業者は、説明の便宜上および簡潔さのために、前記説明されたシステム、装置およびユニットの具体的な作業プロセスは、前述の方法の実施例における対応するプロセスを参照することができることを明確に理解することができ、詳細はここでは再度説明しない。
【０２４９】
本出願によって提供されるいくつかの実施例では、開示されたシステム、装置および方法は、他の方法で実現され得ることを理解されたい。例えば、上記で説明された装置の実施例は単なる例示的であり、例えば、前記ユニットの分割は論理的な機能の分割に過ぎない。実際の実現の際に、例えば、複数のユニットまたはコンポーネントを組み合わせたり、または別のシステムに統合されたり、または一部の特徴は無視するか実行ンしない等、別の分割方法が存在することができる。加えて、表示または議論される相互結合または直接結合または通信接続は、いくつかのインターフェース、装置またはユニットを介した間接な結合または通信接続であり得、電気的、機械的または他の形態であり得る。
【０２５０】
前記個別の部品として説明されるユニットは、物理的に分離される場合とされない場合があり、ユニットとして表示される部品は、物理ユニットである場合とそうでない場合がある。即ち、ある場所に位置するか、または複数のネットワークユニットに分散されることもできる。実際のニーズにしたがって、その中のユニットの一部または全部を選択して本実施例の技術案の目的を実現することができる。
【０２５１】
さらに、本出願の各実施例における各機能ユニットは、１つの処理ユニットに統合されてもよく、各ユニットが物理的に別個に存在してもよく、２つまたは２つ以上のユニットが１つのユニットに統合されてもよい。
【０２５２】
前記機能は、ソフトウェア機能ユニットの形で実装され、独立した製品として販売または使用される場合、１つのコンピュータ読み取り可能な取記憶媒体に記憶することができる。このような理解に基づいて、本出願の技術的解決策は、本質でまたは先行技術に対して貢献のある部分または当該技術の解決策の一部は、ソフトウェア製品の形で具現されることができ、当該コンピュータソフトウェア製品は、１つの記憶媒体に記憶されて、一台のコンピュータ装置（パーソナルコンピュータ、サーバ、またはネットワークデバイスなどであリ得る）が本出願の各実施例に記載の方法の全部または一部のステップ実行させるために、いくつかの命令を含む。上記した記憶媒体は、Ｕディスク、モバイルハードディスク、読み取り専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスクまたは光ディスクなどのプログラムコードを記憶することができる様々な媒体を含む。
【０２５３】
上記の説明は本出願の具体的な実施形態に過ぎず、本出願の保護範囲はそれに限定せず、当業者が本出願に開示された技術的範囲内で容易に想到し得る変更または置換は、すべて本出願の保護範囲内に含まれるべきある。したがって、本出願の保護範囲は、特許請求の保護範囲を基準とするべきである。
【図１】
2020537366.tif 000003
【図２】
2020537366.tif 000004
【図３】
2020537366.tif 000005
【図４】
2020537366.tif 000006
【図５】
2020537366.tif 000007
【図６】
2020537366.tif 000008
【図７】
2020537366.tif 000009
【図８】
2020537366.tif 000010
【図９】
2020537366.tif 000011
【図１０】
2020537366.tif 000012
【図１１】
2020537366.tif 000013
【図１２】
2020537366.tif 000014
【図１３】
2020537366.tif 000015
【図１４】
2020537366.tif 000016
【図１５】
2020537366.tif 000017
【図１６】
2020537366.tif 000018
【図１７】
2020537366.tif 000019
【手続補正書】
【提出日】令和2年8月18日(2020.8.18)
【手続補正１】
【補正対象書類名】特許請求の範囲
【補正対象項目名】全文
【補正方法】変更
【補正の内容】
【特許請求の範囲】
【請求項１】
リソースの構成方法であって、
ネットワーク装置に第１の情報を送信することであって、前記第１の情報は、複数キャリアでの同時送受信の能力を指示するための能力情報を含み、前記複数のキャリアは、第１のタイプのキャリアおよび第２のタイプのキャリアを含み、前記第１のタイプのキャリアは、サイドリンクでのデータを伝送するためであり、前記第２のタイプのキャリアは、アップリンクでのデータ、ダウンリンクでのデータおよびサイドリンクでのデータのうちの少なくとも１つのデータを伝送するためであることと、
前記ネットワーク装置によって送信される第２の情報を受信することであって、前記第２の情報は、前記ネットワーク装置によって割り当てられる前記第１のタイプのキャリアと前記第２のタイプのキャリアに対する第１の伝送リソースおよび前記第１の伝送リソースの有効時間を指示するためであることと、を含む、前記リソースの構成方法。
【請求項２】
前記第１の情報は、前記複数のキャリアでデータを集約し伝送することを要求するための要求情報をさらに含む、
請求項１に記載のリソースの構成方法。
【請求項３】
前記ネットワーク装置に前記第１の情報を送信する前に、前記リソースの構成方法は、
前記ネットワーク装置によって送信される第３の情報を受信することであって、前記第３の情報は、第１のタイプのキャリア情報を含み、前記ネットワーク装置が前記第１のタイプのキャリアに対するリソースを割り当てることを指示するためであることをさらに含む、
請求項１または２に記載のリソースの構成方法。
【請求項４】
前記方法は、
前記第１の伝送リソースにしたがって、第２の伝送リソースを決定することと、
前記第２の伝送リソースでデータを送信することと、をさらに含む、
請求項１ないし３のいずれか一項に記載のリソースの構成方法。
【請求項５】
前記第１の伝送リソースにしたがって、第２の伝送リソースを決定することは、
前記第１の伝送リソースで前記第２の伝送リソースを決定することを含む、
請求項４に記載のリソースの構成方法。
【請求項６】
前記第１の伝送リソースで前記第２の伝送リソースを決定することは、
チャネル占有率、複数キャリアでの同時送受信の能力、送信パワー、伝送されたサービスの優先度のうちの少なくとも１つにしたがって、前記第１の伝送リソースで前記第２の伝送リソースを決定することを含む、
請求項５に記載のリソースの構成方法。
【請求項７】
前記リソースの構成方法は、
前記第１の伝送リソースの有効時間内に、前記第２の伝送リソースでデータを送信することをさらに含む、
請求項４ないし６のいずれか一項に記載のリソースの構成方法。
【請求項８】
前記第１の伝送リソースは、準静的なスケジューリングリソースおよび/または共有リソースプールである、
請求項１ないし７のいずれか一項に記載のリソースの構成方法。
【請求項９】
前記リソースの構成方法は、
第３の伝送リソースでデータを受信することであって、前記第３の伝送リソースは、前記ネットワーク装置がシステム情報によって構成されるものであり、前記第３の伝送リソースは、前記第１のタイプのキャリアを含むことをさらに含む、
請求項１ないし８のいずれか一項に記載のリソースの構成方法。
【請求項１０】
前記リソースの構成方法は、
第４の伝送リソースでデータを受信することであって、前記第４の伝送リソースは、前記ネットワーク装置によって構成されるものであり、前記第４の伝送リソースは、前記第２のタイプのキャリアを含むことをさらに含む、
請求項１ないし９のいずれか一項に記載のリソースの構成方法。
【請求項１１】
端末装置であって、
ネットワーク装置に能力情報を含む第１の情報を送信するための送信ユニットであって、前記能力情報は、複数キャリアでの同時送受信の能力を指示するためであり、前記複数のキャリアは、第１のタイプのキャリアおよび第２のタイプのキャリアを含み、前記第１のタイプのキャリアは、サイドリンクでのデータを伝送するためであり、前記第２のタイプのキャリアは、アップリンクでのデータ、ダウンリンクでのデータおよびサイドリンクでのデータのうちの少なくとも１つのデータを伝送するためである送信ユニットと、
前記ネットワーク装置によって送信される第２の情報を受信するための受信ユニットであって、前記第２の情報は、前記ネットワーク装置によって割り当てられる前記第１のタイプのキャリアと前記第２のタイプのキャリアに対する第１の伝送リソースおよび前記第１の伝送リソースの有効時間を指示するためである受信ユニットと、を含む、前記端末装置。
【請求項１２】
前記送信ユニットが前記ネットワーク装置に前記第１の情報を送信する前に、前記受信ユニットは、さらに、前記ネットワーク装置によって送信される第３の情報を受信するためであって、前記第３の情報は、第１のタイプのキャリア情報を含み、前記第３の情報は、前記ネットワーク装置が前記第１のタイプのキャリアに対するリソースを割り当てることを指示するためである、
請求項１１に記載の端末装置。
【請求項１３】
前記端末装置は、
前記第１の伝送リソースにしたがって、第２の伝送リソースを決定するための処理ユニットをさらに含み、
前記送信ユニットは、さらに、前記第２の伝送リソースでデータを送信するためである、
請求項１１または１２に記載の端末装置。
【請求項１４】
前記送信ユニットは、さらに、前記第１の伝送リソースの有効時間内に、前記第２の伝送リソースでデータを送信するためである、
請求項１１ないし１３のいずれか一項に記載の端末装置。
【請求項１５】
端末装置であって、
プロセッサと、
情報を送受信するためにプロセッサによって制御可能なトランシーバと、を含み、
前記プロセッサは、請求項１ないし１０のいずれか一項に記載のリソースの構成方法の動作を実施するように構成される、前記端末装置。
【国際調査報告】
2020537366.tif 000020
2020537366.tif 000021
2020537366.tif 000022
2020537366.tif 000023